(57)【特許請求の範囲】
【請求項１】
無線通信システムにおいて通信装置がＰｈｙｓｉｃａｌ  Ｕｐｌｉｎｋ  Ｃｏｎｔｒｏｌ  Ｃｈａｎｎｅｌ（ＰＵＣＣＨ）信号を伝送する方法であって、
前記方法は、
シーケンスインデックスｎＯＣに対応する長さ５
【数１】
0005859006.tif 000165
の直交シーケンスを用いて第１変調シンボルをブロック拡散することと、
前記シーケンスインデックスｎＯＣに対応する長さ４
【数２】
0005859006.tif 000166
の直交シーケンスを用いて第２変調シンボルをブロック拡散することと、
前記第１変調シンボル及び第２変調シンボルのブロック拡散された変調シンボルに対応する複素シンボルをＰＵＣＣＨ伝送のための物理リソースにマッピングすることと
を含み、
長さ５及び長さ４の直交シーケンスは、以下の関係
【表１】
0005859006.tif 000167
を用いることによって与えられる、方法。
【請求項２】
前記複素シンボルは、前記第１変調シンボル及び第２変調シンボルのブロック拡散された変調シンボルに対して、巡回シフトを行うこと及びＤｉｓｃｒｅｔｅ  Ｆｏｕｒｉｅｒ  Ｔｒａｎｓｆｏｒｍ（ＤＦＴ）プリコーディングすることを用いることによって得られる、請求項１に記載の方法。
【請求項３】
前記ＰＵＣＣＨ信号は、Ｓｏｕｎｄｉｎｇ  Ｒｅｆｅｒｅｎｃｅ  Ｓｉｇｎａｌ（ＳＲＳ）のためのサブフレームを通じて伝送される、請求項１に記載の方法。
【請求項４】
前記ＰＵＣＣＨ信号は、スロット０において５個のＳｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ（ＳＣ−ＦＤＭＡ）シンボルを用いて伝送され、スロット１において４個のＳＣ−ＦＤＭＡシンボルを用いて伝送される、請求項３に記載の方法。
【請求項５】
前記ＰＵＣＣＨ信号は、前記スロット０においてインデックス０、２、３、４及び６のＳＣ−ＦＤＭＡシンボルを用いて伝送され、前記スロット１においてインデックス０、２、３及び４のＳＣ−ＦＤＭＡシンボルを用いて伝送される、請求項４に記載の方法。
【請求項６】
前記第１変調シンボルがスロット０を通じて伝送され、前記第２変調シンボルがスロット１を通じて伝送される、請求項１に記載の方法。
【請求項７】
前記ＰＵＣＣＨ信号がＵｐｌｉｎｋ  Ｃｏｎｔｒｏｌ  Ｉｎｆｏｒｍａｔｉｏｎ（ＵＣＩ）を含む、請求項１に記載の方法。
【請求項８】
複数のサービングセルが、前記通信装置に対して構成されている、請求項１に記載の方法。
【請求項９】
無線通信システムにおいてＰｈｙｓｉｃａｌ  Ｕｐｌｉｎｋ  Ｃｏｎｔｒｏｌ  Ｃｈａｎｎｅｌ（ＰＵＣＣＨ）信号を伝送するように構成された通信装置であって、
前記通信装置は、
無線周波数（ＲＦ）ユニットと、
プロセッサと
を備え、
前記プロセッサは、
シーケンスインデックスｎＯＣに対応する長さ５
【数３】
0005859006.tif 000168
の直交シーケンスを用いて第１変調シンボルをブロック拡散することと、
前記シーケンスインデックスｎＯＣに対応する長さ４
【数４】
0005859006.tif 000169
の直交シーケンスを用いて第２変調シンボルをブロック拡散することと、
前記第１変調シンボル及び第２変調シンボルのブロック拡散された変調シンボルに対応する複素シンボルをＰＵＣＣＨ伝送のための物理リソースにマッピングすることと
を行うように構成され、
長さ５及び長さ４の直交シーケンスは、以下の関係
【表２】
0005859006.tif 000170
を用いることによって与えられる、通信装置。
【請求項１０】
前記ＰＵＣＣＨ信号は、Ｓｏｕｎｄｉｎｇ  Ｒｅｆｅｒｅｎｃｅ  Ｓｉｇｎａｌ（ＳＲＳ）のためのサブフレームを通じて伝送される、請求項９に記載の通信装置。
【請求項１１】
前記ＰＵＣＣＨ信号は、スロット０において５個のＳｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ（ＳＣ−ＦＤＭＡ）シンボルを用いて伝送され、スロット１において４個のＳＣ−ＦＤＭＡシンボルを用いて伝送される、請求項１０に記載の通信装置。
【請求項１２】
前記ＰＵＣＣＨ信号は、前記スロット０においてインデックス０、２、３、４及び６のＳＣ−ＦＤＭＡシンボルを用いて伝送され、前記スロット１においてインデックス０、２、３及び４のＳＣ−ＦＤＭＡシンボルを用いて伝送される、請求項１１に記載の通信装置。
【請求項１３】
前記第１変調シンボルがスロット０を通じて伝送され、前記第２変調シンボルがスロット１を通じて伝送される、請求項９に記載の通信装置。
【請求項１４】
前記ＰＵＣＣＨ信号がＵｐｌｉｎｋ  Ｃｏｎｔｒｏｌ  Ｉｎｆｏｒｍａｔｉｏｎ（ＵＣＩ）を含む、請求項９に記載の通信装置。
【請求項１５】
複数のサービングセルが構成されている、請求項９に記載の通信装置。
【発明の詳細な説明】
【技術分野】
【０００１】
本発明は、無線通信システムに係り、特に、制御情報を伝送する方法及び装置に関する。無線通信システムは、キャリアアグリゲーション（Ｃａｒｒｉｅｒ  Ａｇｇｒｅｇａｔｉｏｎ：ＣＡ）を支援することができる。
【背景技術】
【０００２】
無線通信システムが音声やデータなどのような種々の通信サービスを提供するために広範囲に展開されている。一般に、無線通信システムは、可用システムリソース（帯域幅、伝送パワーなど）を共有してマルチユーザーとの通信を支援できる多重接続（ｍｕｌｔｉｐｌｅ  ａｃｃｅｓｓ）システムである。多重接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明の目的は、無線通信システムにおいて制御情報を效率よく伝送する方法及びそのための装置を提供することにある。本発明の他の目的は、制御情報を效率よく伝送するためのチャネルフォーマット、信号処理、及びそのための装置を提供することにある。本発明のさらに他の目的は、制御情報を伝送するためのリソースを效率よく割り当てる方法及びそのための装置を提供することにある。
【０００４】
本発明で達成しようとする技術的課題は、以上に言及している技術的課題に制限されるものではなく、言及していない他の技術的課題は、下の記載から、本発明の属する技術の分野における通常の知識を有する者には明らかになるであろう。
【課題を解決するための手段】
【０００５】
本発明の一様相として、無線通信システムにおいて通信装置がＰＵＣＣＨ（Ｐｈｙｓｉｃａｌ  Ｕｐｌｉｎｋ  Ｃｏｎｔｒｏｌ  Ｃｈａｎｎｅｌ）信号を伝送する方法において、（ａ）第１変調シンボル列をシーケンスインデックスｎＯＣに対応する長さ−５
【０００６】
【化１】
0005859006.tif 000002
直交シーケンスを用いてブロック−方式拡散し、（ｂ）第２変調シンボル列を前記シーケンスインデックスｎＯＣに対応する長さ−４
【０００７】
【化２】
0005859006.tif 000003
直交シーケンスを用いてブロック−方式拡散し、（ｃ）前記（ａ）〜（ｂ）から得た複数の変調シンボル列をそれぞれ、巡回シフト及びＤＦＴ（Ｄｉｓｃｒｅｔｅ  Ｆｏｕｒｉｅｒ  Ｔｒａｎｓｆｏｒｍ）プリコーディングし、（ｄ）前記（ｃ）から得た複素シンボルをＰＵＣＣＨ伝送のための物理リソースにマッピングすること、を含み、前記長さ−５及び長さ−４の直交シーケンスは、下記の表により与えられる、方法が提供される。
【０００８】
【化３】
0005859006.tif 000004
本発明の他の様相として、無線通信システムにおいてＰＵＣＣＨ（Ｐｈｙｓｉｃａｌ  Ｕｐｌｉｎｋ  Ｃｏｎｔｒｏｌ  Ｃｈａｎｎｅｌ）信号を伝送するように構成された通信装置において、無線周波数（Ｒａｄｉｏ  Ｆｒｅｑｕｅｎｃｙ、ＲＦ）ユニットと、プロセッサと、を備え、前記プロセッサは、（ａ）第１変調シンボル列をシーケンスインデックスｎＯＣに対応する長さ−５
【化４】
0005859006.tif 000005
直交シーケンスを用いてブロック−方式拡散し、（ｂ）第２変調シンボル列を前記シーケンスインデックスｎＯＣに対応する長さ−４
【０００９】
【化５】
0005859006.tif 000006
直交シーケンスを用いてブロック−方式拡散し、（ｃ）前記（ａ）〜（ｂ）から得た複数の変調シンボル列をそれぞれ、巡回シフト及びＤＦＴ（Ｄｉｓｃｒｅｔｅ  Ｆｏｕｒｉｅｒ  Ｔｒａｎｓｆｏｒｍ）プリコーディングし、（ｄ）前記（ｃ）から得た複素シンボルをＰＵＣＣＨ伝送のための物理リソースにマッピングするように構成され、前記長さ−５及び長さ−４の直交シーケンスは、下記の表により与えられる、通信装置が提供される。
【００１０】
【化６】
0005859006.tif 000007
好適には、前記ＰＵＣＣＨ信号は、ＳＲＳ（Ｓｏｕｎｄｉｎｇ  Ｒｅｆｅｒｅｎｃｅ  Ｓｉｇｎａｌ）のためのサブフレームを通じて伝送されるとよい。
【００１１】
好適には、前記ＰＵＣＣＨ信号は、スロット０で５個のＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルを用いて伝送され、スロット１で４個のＳＣ−ＦＤＭＡシンボルを用いて伝送されるとよい。
【００１２】
好適には、前記ＰＵＣＣＨ信号は、前記スロット０でインデックス０、２、３、４及び６のＳＣ−ＦＤＭＡシンボルを用いて伝送され、前記スロット１でインデックス０、２、３及び４のＳＣ−ＦＤＭＡシンボルを用いて伝送されるとよい。
【００１３】
好適には、前記第１変調シンボル列は、前記スロット０を通じて伝送され、前記第２変調シンボル列は、前記スロット１を通じて伝送されるとよい。
【００１４】
好適には、前記ＰＵＣＣＨ信号は、ＵＣＩ（Ｕｐｌｉｎｋ  Ｃｏｎｔｒｏｌ  Ｉｎｆｏｒｍａｔｉｏｎ）を含むことができる。
【００１５】
好適には、前記通信装置に対して複数のサービングセルが構成されるとよい。
【発明の効果】
【００１６】
本発明によれば、無線通信システムにおいて制御情報を效率的に伝送することができる。また、制御情報を效率的に伝送するためのチャネルフォーマット、信号処理方法を提供することができる。また、制御情報伝送のためのリソースを效率的に割り当てることができる。
【００１７】
本発明で得られる効果は、以上で言及した効果に制限されず、言及していない他の効果は、下の記載から、本発明の属する技術の分野における通常の知識を有する者には明確に理解されるであろう。
【００１８】
本発明に関する理解を助けるために詳細な説明の一部として含まれる添付図面は、本発明に係る実施例を提供し、詳細な説明と共に本発明の技術的思想を説明する。
【図面の簡単な説明】
【００１９】
【図１】無線通信システムの一例である３ＧＰＰ  ＬＴＥシステムに用いられる物理チャネル及びこれらのチャネルを用いた一般的な信号伝送方法を例示する図である。
【図２】無線フレームの構造を例示する図である。
【図３Ａ】アップリンク信号処理手順を例示する図である。
【図３Ｂ】ダウンリンク信号処理手順を例示する図である。
【図４】ＳＣ−ＦＤＭＡ方式とＯＦＤＭＡ方式を例示する図である。
【図５】単一搬送波特性を満たすための周波数ドメイン上の信号マッピング方式を例示する図である。
【図６】クラスタＳＣ−ＦＤＭＡにおいてＤＦＴプロセス出力サンプルが単一キャリアにマッピングされる信号処理手順を例示する図である。
【図７】クラスタＳＣ−ＦＤＭＡにおいてＤＦＴプロセス出力サンプルがマルチキャリア（ｍｕｌｔｉ−ｃａｒｒｉｅｒ）にマッピングされる信号処理手順を例示する図である。
【図８】クラスタＳＣ−ＦＤＭＡにおいてＤＦＴプロセス出力サンプルがマルチキャリア（ｍｕｌｔｉ−ｃａｒｒｉｅｒ）にマッピングされる信号処理手順を例示する図である。
【図９】セグメントＳＣ−ＦＤＭＡにおける信号処理手順を例示する図である。
【図１０】アップリンクサブフレームの構造を例示する図である。
【図１１】アップリンクで参照信号（Ｒｅｆｅｒｅｎｃｅ  Ｓｉｇｎａｌ：ＲＳ）を伝送するための信号処理手順を例示する図である。
【図１２Ａ】ＰＵＳＣＨのためのＤＭＲＳ（ｄｅｍｏｄｕｌａｔｉｏｎ  ｒｅｆｅｒｅｎｃｅ  ｓｉｇｎａｌ）構造を例示する図である。
【図１２Ｂ】ＰＵＳＣＨのためのＤＭＲＳ（ｄｅｍｏｄｕｌａｔｉｏｎ  ｒｅｆｅｒｅｎｃｅ  ｓｉｇｎａｌ）構造を例示する図である。
【図１３】ＰＵＣＣＨフォーマット１ａ及び１ｂのスロットレベル構造を例示する図である。
【図１４】ＰＵＣＣＨフォーマット１ａ及び１ｂのスロットレベル構造を例示する図である。
【図１５】ＰＵＣＣＨフォーマット２／２ａ／２ｂのスロットレベル構造を例示する図である。
【図１６】ＰＵＣＣＨフォーマット２／２ａ／２ｂのスロットレベル構造を例示する図である。
【図１７】ＰＵＣＣＨフォーマット１ａ及び１ｂに対するＡＣＫ／ＮＡＣＫチャネル化を例示する図である。
【図１８】同一のＰＲＢ内でＰＵＣＣＨフォーマット１／１ａ／１ｂ及びフォーマット２／２ａ／２ｂの混合構造に対するチャネル化を例示する図である。
【図１９】ＰＵＣＣＨ伝送のためのＰＲＢ割当を例示する図である。
【図２０】基地局でダウンリンクコンポーネントキャリアを管理する概念を例示する図である。
【図２１】端末でアップリンクコンポーネントキャリアを管理する概念を例示する図である。
【図２２】基地局で一つのＭＡＣがマルチキャリアを管理する概念を例示する図である。
【図２３】端末で一つのＭＡＣがマルチキャリアを管理する概念を例示する図である。
【図２４】基地局で一つのＭＡＣがマルチキャリアを管理する概念を例示する図である。
【図２５】端末で複数のＭＡＣがマルチキャリアを管理する概念を例示する図である。
【図２６】基地局で複数のＭＡＣがマルチキャリアを管理する概念を例示する図である。
【図２７】端末の受信観点で、一つ以上のＭＡＣがマルチキャリアを管理する概念を例示する図である。
【図２８】複数のＤＬ  ＣＣと１個のＵＬ  ＣＣとがリンクされた非対称キャリアアグリゲーションを例示する図である。
【図２９Ａ】ＰＵＣＣＨフォーマット３の構造及び信号処理手順を例示する図である。
【図２９Ｂ】ＰＵＣＣＨフォーマット３の構造及び信号処理手順を例示する図である。
【図２９Ｃ】ＰＵＣＣＨフォーマット３の構造及び信号処理手順を例示する図である。
【図２９Ｄ】ＰＵＣＣＨフォーマット３の構造及び信号処理手順を例示する図である。
【図２９Ｅ】ＰＵＣＣＨフォーマット３の構造及び信号処理手順を例示する図である。
【図２９Ｆ】ＰＵＣＣＨフォーマット３の構造及び信号処理手順を例示する図である。
【図３０】ＲＳ多重化容量の増加されたＰＵＣＣＨフォーマット３の構造と信号処理過程を例示する図である。
【図３１】ＲＳ多重化容量の増加されたＰＵＣＣＨフォーマット３の構造と信号処理過程を例示する図である。
【図３２】短縮した（ｓｈｏｒｔｅｎｅｄ）ＰＵＣＣＨフォーマット３を例示する図である。
【図３３】コード距離が直交コード間の直交性に及ぼす影響を説明する図である。
【図３４】残留タイミングが直交コードの直交性に及ぼす影響を説明する図である。
【図３５】本発明の実施例によって構成したコードの直交性能を示す図である。
【図３６】本発明の実施例によってＰＵＣＣＨ信号を伝送する例を示す図である。
【図３７】本発明に適用されうる基地局及び端末を例示する図である。
【発明を実施するための形態】
【００２０】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）とすることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術とすることができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術とすることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、ＬＴＥ−Ａ（Ａｄｖａｎｃｅｄ）は、３ＧＰＰ  ＬＴＥの進展したバージョンである。説明を明確にするために、３ＧＰＰ  ＬＴＥ／ＬＴＥ−Ａを中心に説明するが、これに本発明の技術的思想が制限されることはない。
【００２１】
無線通信システムにおいて、端末は基地局からダウンリンク（Ｄｏｗｎｌｉｎｋ：ＤＬ）を通じて情報を受信し、端末は基地局にアップリンク（Ｕｐｌｉｎｋ：ＵＬ）を通じて情報を伝送する。基地局と端末が送受信する情報は、データ及び様々な制御情報を含み、これらが送受信する情報の種類／用途に応じて様々な物理チャネルが存在する。
【００２２】
図１は、３ＧＰＰ  ＬＴＥシステムに用いられる物理チャネル及びこれらのチャネルを用いた一般的な信号伝送方法を説明するための図である。
【００２３】
電源が消えた状態で再び電源が入ったり、セルに新しく進入したりした端末は、段階Ｓ１０１において、基地局と同期を合わせる等の初期セル探索（Ｉｎｉｔｉａｌ  ｃｅｌｌ  ｓｅａｒｃｈ）作業を行う。このために、端末は基地局からプライマリ同期チャネル（Ｐ−ＳＣＨ：Ｐｒｉｍａｒｙ  Ｓｙｎｃｈｒｏｎｉｚａｔｉｏｎ  Ｃｈａｎｎｅｌ）及びセカンダリ同期チャネル（Ｓ−ＳＣＨ：Ｓｅｃｏｎｄａｒｙ  Ｓｙｎｃｈｒｏｎｉｚａｔｉｏｎ  Ｃｈａｎｎｅｌ）を受信して基地局と同期を合わせ、セルＩＤなどの情報を獲得する。その後、端末は、基地局から物理放送チャネル（Ｐｈｙｓｉｃａｌ  Ｂｒｏａｄｃａｓｔ  Ｃｈａｎｎｅｌ）を受信してセル内の放送情報を獲得することができる。一方、端末は、初期セル探索段階においてダウンリンク参照信号（Ｄｏｗｎｌｉｎｋ  Ｒｅｆｅｒｅｎｃｅ  Ｓｉｇｎａｌ：ＤＬ  ＲＳ）を受信して、ダウンリンクチャネル状態を確認することができる。
【００２４】
初期セル探索を終えた端末は、段階Ｓ１０２において、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、及び該物理ダウンリンク制御チャネル情報に対応する物理ダウンリンク共有チャネル（ＰＤＳＣＨ：Ｐｈｙｓｉｃａｌ  Ｄｏｗｎｌｉｎｋ  Ｃｏｎｔｒｏｌ  Ｃｈａｎｎｅｌ）を受信して、より具体的なシステム情報を獲得することができる。
【００２５】
その後、端末は基地局への接続を確立するために、段階Ｓ１０３乃至段階Ｓ１０６のようなランダムアクセス手順（Ｒａｎｄｏｍ  Ａｃｃｅｓｓ  Ｐｒｏｃｅｄｕｒｅ）を行うことができる。そのために、端末は、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）を通じてプリアンブルを伝送し（Ｓ１０３）、物理ダウンリンク制御チャネル及びこれに対応する物理ダウンリンク共有チャネルを通じて、プリアンブルに対する応答メッセージを受信することができる（Ｓ１０４）。競合ベースランダムアクセスの場合は、追加の物理ランダムアクセスチャネルの伝送（Ｓ１０５）、及び物理ダウンリンク制御チャネル及びこれに対応する物理ダウンリンク共有チャネルの受信（Ｓ１０６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００２６】
以上の手順を行った端末は、以降、一般的なアップリンク／ダウンリンク信号伝送手順として、物理ダウンリンク制御チャネル／物理ダウンリンク共有チャネルの受信（Ｓ１０７）及び物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）／物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）の伝送（Ｓ１０８）を行うことができる。端末が基地局に伝送する制御情報を総称してアップリンク制御情報（Ｕｐｌｉｎｋ  Ｃｏｎｔｒｏｌ  Ｉｎｆｏｒｍａｔｉｏｎ：ＵＣＩ）とする。ＵＣＩは、ＨＡＲＱ  ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。本明細書で、ＨＡＲＱ  ＡＣＫ／ＮＡＣＫは、簡単にＨＡＲＱ−ＡＣＫあるいはＡＣＫ／ＮＡＣＫ（Ａ／Ｎ）と呼ばれる。ＨＡＲＱ−ＡＣＫは、ポジティブＡＣＫ（簡単に、ＡＣＫ）、ネガティブＡＣＫ（ＮＡＣＫ）、ＤＴＸ、及びＮＡＣＫ／ＤＴＸのうち少なくとも一つを含む。ＵＣＩは、主に、ＰＵＣＣＨを通じて伝送されるが、制御情報とトラフィックデータが同時に伝送されるべき場合は、ＰＵＳＣＨを通じて伝送されてもよい。また、ネットワークの要請／指示によってＰＵＳＣＨを通じてＵＣＩを非周期的に伝送することもある。
【００２７】
図２は、無線フレームの構造を例示する図である。セルラーＯＦＤＭ無線パケット通信システムにおいて、アップリンク／ダウンリンクデータパケットの伝送は、サブフレーム（ｓｕｂｆｒａｍｅ）単位に行われ、１サブフレームは、多数のＯＦＤＭシンボルを含む一定時間区間と定義される。３ＧＰＰ  ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造と、ＴＤＤ（Ｔｉｍｅ  Ｄｉｖｉｓｉｏｎ  Ｄｕｐｌｅｘ）に適用可能なタイプ２の無線フレーム構造を支援する。
【００２８】
図２の（ａ）には、タイプ１無線フレームの構造を例示する。ダウンリンク無線フレームは、１０個のサブフレームで構成され、１サブフレームは、時間領域（ｔｉｍｅ  ｄｏｍａｉｎ）において２個のスロット（ｓｌｏｔ）で構成される。１サブフレームが伝送されるのにかかる時間をＴＴＩ（ｔｒａｎｓｍｉｓｓｉｏｎ  ｔｉｍｅ  ｉｎｔｅｒｖａｌ）という。例えば、１サブフレームの長さは１ｍｓであり、１スロットの長さは０．５ｍｓでよい。１スロットは、時間領域で複数のＯＦＤＭシンボルを含み、周波数領域で複数のリソースブロック（Ｒｅｓｏｕｒｃｅ  Ｂｌｏｃｋ；ＲＢ）を含む。３ＧＰＰ  ＬＴＥシステムでは、ダウンリンクでＯＦＤＭＡを用いるので、ＯＦＤＭシンボルが１シンボル区間を表す。ＯＦＤＭシンボルは、ＳＣ−ＦＤＭＡシンボルまたはシンボル区間と呼ぶこともできる。リソース割当単位としてのリソースブロック（ＲＢ）は、１スロットにおいて複数個の連続した副搬送波（ｓｕｂｃａｒｒｉｅｒ）を含むことができる。
【００２９】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって異なることがある。ＣＰには、拡張されたＣＰ（ｅｘｔｅｎｄｅｄ  ＣＰ）と標準ＣＰ（ｎｏｒｍａｌ  ＣＰ）とがある。例えば、ＯＦＤＭシンボルが標準ＣＰにより構成された場合に、１スロットに含まれるＯＦＤＭシンボルの数は７個でよい。ＯＦＤＭシンボルが、拡張されたＣＰにより構成された場合に、１  ＯＦＤＭシンボルの長さが増加するから、１スロットに含まれるＯＦＤＭシンボルの数は、標準ＣＰの場合に比べて少なくなる。拡張されたＣＰの場合に、例えば、１スロットに含まれるＯＦＤＭシンボルの数は６個でよい。端末が速い速度で移動する等の場合のように、チャネル状態が安定していない場合に、シンボル間干渉をより低減するために、拡張されたＣＰを用いることができる。
【００３０】
標準ＣＰが用いられる場合に、１スロットは７個のＯＦＤＭシンボルを含むので、１サブフレームは１４個のＯＦＤＭシンボルを含む。この場合、各サブフレームの先頭の最大３個のＯＦＤＭシンボルをＰＤＣＣＨ（ｐｈｙｓｉｃａｌ  ｄｏｗｎｌｉｎｋ  ｃｏｎｔｒｏｌ  ｃｈａｎｎｅｌ）に割り当て、残りのＯＦＤＭシンボルをＰＤＳＣＨ（ｐｈｙｓｉｃａｌ  ｄｏｗｎｌｉｎｋ  ｓｈａｒｅｄ  ｃｈａｎｎｅｌ）に割り当てることができる。
【００３１】
図２の（ｂ）には、タイプ２無線フレームの構造を例示する。タイプ２無線フレームは、２個のハーフフレーム（ｈａｌｆ  ｆｒａｍｅ）で構成され、各ハーフフレームは、５個のサブフレーム、及びＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ、ＧＰ）、ＵｐＰＴＳ（Ｕｐｌｉｎｋ  Ｐｉｌｏｔ  Ｔｉｍｅ  Ｓｌｏｔ）で構成され、１サブフレームは２個のスロットで構成される。ＤｗＰＴＳは、端末での初期セル探索、同期化またはチャネル推定に用いられる。ＵｐＰＴＳは、基地局でのチャネル推定と端末のアップリンク伝送同期を合わせるのに用いられる。保護区間は、アップリンクとダウンリンクとの間にダウンリンク信号の多重経路遅延によりアップリンクで生じる干渉を除去するための区間である。
【００３２】
上記の無線フレームの構造は例示に過ぎず、無線フレームに含まれるサブフレームの数、サブフレームに含まれるスロットの数、スロットに含  まれるシンボルの数は様々に変更することができる。
【００３３】
図３Ａは、端末がアップリンク信号を伝送するための信号処理手順を説明するための図である。
【００３４】
アップリンク信号を伝送するために、端末は、スクランブリング（ｓｃｒａｍｂｌｉｎｇ）モジュール２１０で端末特定スクランブル信号を用いて伝送信号をスクランブルすることができる。スクランブルされた信号は変調マッパー２１０に入力され、伝送信号の種類及び／またはチャネル状態に基づいてＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）または１６ＱＡＭ／６４ＱＡＭ（Ｑｕａｄｒａｔｕｒｅ  Ａｍｐｌｉｔｕｄｅ  Ｍｏｄｕｌａｔｉｏｎ）方式を用いて複素シンボル（ｃｏｍｐｌｅｘ  ｓｙｍｂｏｌ）に変調される。変調された複素シンボルを、変換プリコーダ２３０で処理した後に、リソース要素マッパー２４０に入力し、リソース要素マッパー２４０は、複素シンボルを時間−周波数リソース要素にマッピングすることができる。このように処理した信号は、ＳＣ−ＦＤＭＡ信号生成器２５０を経てアンテナから基地局に伝送することができる。
【００３５】
図３Ｂは、基地局がダウンリンク信号を伝送するための信号処理手順を説明するための図である。
【００３６】
３ＧＰＰ  ＬＴＥシステムにおいて、基地局は、ダウンリンクで一つ以上のコードワード（ｃｏｄｅｗｏｒｄ）を伝送することができる。コードワードはそれぞれ、図３Ａのアップリンクと同様、スクランブルモジュール３０１及び変調マッパー３０２を通じて複素シンボルとすることができる。その後、複素シンボルを、レイヤーマッパー３０３により複数のレイヤー（Ｌａｙｅｒ）にマッピングし、プリコーディングモジュール３０４で各レイヤーをプリコーディング行列とかけて、各伝送アンテナに割り当てることができる。このように処理した各アンテナ別伝送信号のそれぞれを、リソース要素マッパー３０５で時間−周波数リソース要素にマッピングし、以降、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）信号生成器３０６を経て各アンテナから伝送することができる。
【００３７】
無線通信システムにおいて端末がアップリンクで信号を伝送する場合は、基地局がダウンリンクで信号を伝送する場合に比べて、ＰＡＰＲ（Ｐｅａｋ−ｔｏ−Ａｖｅｒａｇｅ  Ｒａｔｉｏ）が問題となる。そのため、図３Ａ及び図３Ｂで説明したように、アップリンク信号伝送には、ダウンリンク信号伝送に用いられるＯＦＤＭＡ方式ではなく、ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）方式が用いられている。
【００３８】
図４は、ＳＣ−ＦＤＭＡ方式とＯＦＤＭＡ方式を説明するための図である。３ＧＰＰシステムは、ダウンリンクではＯＦＤＭＡを採用し、アップリンクではＳＣ−ＦＤＭＡを採用する
図４を参照すると、アップリンク信号伝送のための端末及びダウンリンク信号伝送のための基地局は、直列−並列変換器（Ｓｅｒｉａｌ−ｔｏ−Ｐａｒａｌｌｅｌ  Ｃｏｎｖｅｒｔｅｒ）４０１、副搬送波マッパー４０３、Ｍ−ポイントＩＤＦＴモジュール４０４及びＣＰ（Ｃｙｃｌｉｃ  Ｐｒｅｆｉｘ）付加モジュール４０６を備えている点では同一である。ただし、ＳＣ−ＦＤＭＡ方式で信号を伝送するための端末は、Ｎ−ポイントＤＦＴモジュール４０２をさらに備える。Ｎ−ポイントＤＦＴモジュール４０２は、Ｍ−ポイントＩＤＦＴモジュール４０４のＩＤＦＴ処理影響を一定部分打ち消すことによって、伝送信号が単一搬送波特性（ｓｉｎｇｌｅ  ｃａｒｒｉｅｒ  ｐｒｏｐｅｒｔｙ）を持つようにする。
【００３９】
図５は、周波数ドメインで単一搬送波特性を満たすための周波数ドメイン上の信号マッピング方式を説明する図である。図５の（ａ）は、ローカル型マッピング（ｌｏｃａｌｉｚｅｄ  ｍａｐｐｉｎｇ）方式を示し、図５の（ｂ）は、分散型マッピング（ｄｉｓｔｒｉｂｕｔｅｄ  ｍａｐｐｉｎｇ）方式を示す。
【００４０】
ＳＣ−ＦＤＭＡの修正された形態であるクラスタ（ｃｌｕｓｔｅｒｅｄ）ＳＣ−ＦＤＭＡについて説明する。クラスタＳＣ−ＦＤＭＡは、副搬送波マッピング過程でＤＦＴプロセス出力サンプルを副グループ（ｓｕｂ−ｇｒｏｕｐ）に分け、これらを周波数ドメイン（あるいは副搬送波ドメイン）に不連続的にマッピングする。
【００４１】
図６は、クラスタＳＣ−ＦＤＭＡにおいてＤＦＴプロセス出力サンプルが単一キャリアにマッピングされる信号処理手順を示す図である。図７及び図８は、クラスタＳＣ−ＦＤＭＡにおいてＤＦＴプロセス出力サンプルがマルチキャリア（ｍｕｌｔｉ−ｃａｒｒｉｅｒ）にマッピングされる信号処理手順を示す図である。図６は、イントラキャリア（ｉｎｔｒａ−ｃａｒｒｉｅｒ）クラスタＳＣ−ＦＤＭＡを適用する例であり、図７及び図８は、インターキャリア（ｉｎｔｅｒ−ｃａｒｒｉｅｒ）クラスタＳＣ−ＦＤＭＡを適用する例に該当する。図７は、周波数ドメインで連続的（ｃｏｎｔｉｇｕｏｕｓ）にコンポーネントキャリア（ｃｏｍｐｏｎｅｎｔ  ｃａｒｒｉｅｒ）が割り当てられた状況において、隣接したコンポーネントキャリア間の副搬送波の間隔（ｓｐａｃｉｎｇ）が整列された場合に、単一のＩＦＦＴブロックを通じて信号を生成する例を示す。図８は、周波数ドメインで非連続的（ｎｏｎ−ｃｏｎｔｉｇｕｏｕｓ）にコンポーネントキャリアが割り当てられた状況において複数のＩＦＦＴブロックを通じて信号を生成する場合を示す。
【００４２】
図９は、セグメント（ｓｅｇｍｅｎｔｅｄ）ＳＣ−ＦＤＭＡの信号処理手順を示す図である。
【００４３】
セグメントＳＣ−ＦＤＭＡは、任意個数のＤＦＴと同じ個数のＩＦＦＴが適用されてＤＦＴとＩＦＦＴとの関係構成が一対一の関係を有すことから、単純に既存ＳＣ−ＦＤＭＡのＤＦＴ拡散とＩＦＦＴの周波数副搬送波マッピング構成を拡張したもので、ＮｘＳＣ−ＦＤＭＡまたはＮｘＤＦＴ−ｓ−ＯＦＤＭＡとも表現される。これらを包括して本明細書ではセグメントＳＣ−ＦＤＭＡと呼ぶ。図９を参照すると、セグメントＳＣ−ＦＤＭＡは、単一搬送波特性条件を緩和するために、全体時間ドメイン変調シンボルを、Ｎ（Ｎは、１より大きい整数）個のグループにし、グループ単位にＤＦＴプロセスを行う。
【００４４】
図１０は、アップリンクサブフレームの構造を示す図である。
【００４５】
図１０を参照すると、アップリンクサブフレームは、複数（例、２個）のスロットを含む。スロットは、ＣＰ（Ｃｙｃｌｉｃ  Ｐｒｅｆｉｘ）の長さによってそれぞれ異なる数のＳＣ−ＦＤＭＡシンボルを有することができる。一例として、一般（ｎｏｒｍａｌ）ＣＰの場合は、スロットは７個のＳＣ−ＦＤＭＡシンボルを有することができる。アップリンクサブフレームは、データ領域と制御領域とに区別される。データ領域は、ＰＵＳＣＨを含み、音声などのデータ信号を伝送するのに用いられる。制御領域は、ＰＵＣＣＨを含み、制御情報を伝送するのに用いられる。ＰＵＣＣＨは、周波数軸においてデータ領域の両端部に位置しているＲＢ対（ＲＢ  ｐａｉｒ）（例、ｍ＝０，１，２，３））（例、周波数反射（ｆｒｅｑｕｅｎｃｙ  ｍｉｒｒｏｒｅｄ）された位置のＲＢ対）を含み、スロットを境界にホッピングする。アップリンク制御情報（すなわち、ＵＣＩ）は、ＨＡＲＱ  ＡＣＫ／ＮＡＣＫ、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。
【００４６】
図１１は、アップリンクで参照信号を伝送するための信号処理手順を説明するための図である。データは、ＤＦＴプリコーダを通じて周波数ドメイン信号に変換された後、周波数マッピング後にＩＦＦＴを通じて伝送されるのに比べて、ＲＳは、ＤＦＴプリコーダを経ることが省かれる。すなわち、周波数ドメインでＲＳシーケンスが直接生成（Ｓ１１）された後に、ローカル化マッピング（Ｓ１２）、ＩＦＦＴ過程（Ｓ１３）及びＣＰ（Ｃｙｃｌｉｃ  Ｐｒｅｆｉｘ）付加過程（Ｓ１４）を順次に経てＲＳが伝送される。
【００４７】
ＲＳシーケンス
【００４８】
【化７】
0005859006.tif 000008
は、基本シーケンス（ｂａｓｅ  ｓｅｑｕｅｎｃｅ）の巡回シフト（ｃｙｃｌｉｃ  ｓｈｉｆｔ）αにより定義され、数学式１のように表現できる。
【００４９】
【数１】
0005859006.tif 000009
ここで、
【００５０】
【化８】
0005859006.tif 000010
は、ＲＳシーケンスの長さであり、
【００５１】
【化９】
0005859006.tif 000011
は、副搬送波単位で表したリソースブロックのサイズであり、ｍは、
【００５２】
【化１０】
0005859006.tif 000012
である。
【００５３】
【化１１】
0005859006.tif 000013
は、最大アップリンク伝送帯域を表す。
【００５４】
基本シーケンスである
【００５５】
【化１２】
0005859006.tif 000014
は、いくつかのグループに分けられる。
【００５６】
【化１３】
0005859006.tif 000015
は、グループ番号を表し、νは、該当のグループの基本シーケンス番号に該当する。各グループは、長さが
【００５７】
【化１４】
0005859006.tif 000016
である１つの基本シーケンス（ν＝０）と、長さが
【００５８】
【化１５】
0005859006.tif 000017
である２つの基本シーケンス（ν＝０，１）を含む。該当グループ内でシーケンスグループ番号ｕと該当の番号νは、時間によってそれぞれ変わることがある。基本シーケンス
【００５９】
【化１６】
0005859006.tif 000018
の定義は、シーケンス長
【００６０】
【化１７】
0005859006.tif 000019
による。
【００６１】
【化１８】
0005859006.tif 000020
以上の長さを有する基本シーケンスは、下記のように定義することができる。
【００６２】
【化１９】
0005859006.tif 000021
について、基本シーケンス
【００６３】
【化２０】
0005859006.tif 000022
は下記の数学式２で与えられる。
【００６４】
【数２】
0005859006.tif 000023
ここで、ｑ番目のルートザドフチュー（Ｚａｄｏｆｆ−Ｃｈｕ）シーケンスは、下記の数学式３により定義できる。
【００６５】
【数３】
0005859006.tif 000024
ここで、ｑは、下記の数学式４を満たす。
【００６６】
【数４】
0005859006.tif 000025
ここで、ザドフチューシーケンスの長さ
【００６７】
【化２１】
0005859006.tif 000026
は、最大の素数により与えられ、よって、
【００６８】
【化２２】
0005859006.tif 000027
を満たす。
【００６９】
【化２３】
0005859006.tif 000028
未満の長さを有する基本シーケンスは、下記のように定義できる。まず、
【００７０】
【化２４】
0005859006.tif 000029
に対して基本シーケンスは数学式５のように与えられる。
【００７１】
【数５】
0005859006.tif 000030
ここで、
【００７２】
【化２５】
0005859006.tif 000031
に対するφ（ｎ）の値は、下記の表１及び表２でそれぞれ与えられる。
【００７３】
【表１】
0005859006.tif 000032
【００７４】
【表２】
0005859006.tif 000033
一方、ＲＳホッピングについて説明すると、下記のとおりである。
【００７５】
グループホッピングパターン
【００７６】
【化２６】
0005859006.tif 000034
とシーケンスシフト（ｓｅｑｕｅｎｃｅ  ｓｈｉｆｔ）パターンｆｓｓによって、スロットｎＳでシーケンスグループ番号ｕは、下記の数学式６のように定義することができる。
【００７７】
【数６】
0005859006.tif 000035
ここで、ｍｏｄは、モジューロ（ｍｏｄｕｌｏ）演算を表す。
【００７８】
１７個の互いに異なるホッピングパターンと３０個の互いに異なるシーケンスシフトパターンが存在する。上位層により提供されたグループホッピングを活性化させるパラメータによってシーケンスグループホッピングが可能（ｅｎａｂｌｅｄ）または不可能（ｄｉｓａｂｌｅｄ）になる。
【００７９】
ＰＵＣＣＨとＰＵＳＣＨとは、同じホッピングパターンを有するが、互いに異なるシーケンスシフトパターンを有することができる。
【００８０】
グループホッピングパターン
【００８１】
【化２７】
0005859006.tif 000036
は、ＰＵＳＣＨとＰＵＣＣＨに対して同一であり、下記の数学式７のように与えられる。
【００８２】
【数７】
0005859006.tif 000037
ここで、ｃ（ｉ）は、擬似−ランダム（ｐｓｅｕｄｏ−ｒａｎｄｏｍ）シーケンスに該当し、擬似−ランダムシーケンス生成器は、各無線フレームの開始において
【００８３】
【化２８】
0005859006.tif 000038
で初期化することができる。
【００８４】
シーケンスシフトパターンｆｓｓの定義は、ＰＵＣＣＨ及びＰＵＳＣＨにおいて互いに異なる。
【００８５】
ＰＵＣＣＨに対して、シーケンスシフトパターン
【００８６】
【化２９】
0005859006.tif 000039
は
【００８７】
【化３０】
0005859006.tif 000040
で与えられ、ＰＵＳＣＨに対して、シーケンスシフトパターン
【００８８】
【化３１】
0005859006.tif 000041
は
【００８９】
【化３２】
0005859006.tif 000042
で与えられる。
【００９０】
【化３３】
0005859006.tif 000043
は上位層により構成される。
【００９１】
以下、シーケンスホッピングについて説明する。
【００９２】
シーケンスホッピングは、長さが
【００９３】
【化３４】
0005859006.tif 000044
である基準信号にのみ適用される。
【００９４】
長さが
【００９５】
【化３５】
0005859006.tif 000045
である基準信号に対して、基本シーケンスグループ内で基本シーケンス番号νがν＝０と与えられる。
【００９６】
長さが
【００９７】
【化３６】
0005859006.tif 000046
である基準信号に対して、スロットｎＳにおいて基本シーケンスグループ内で基本シーケンス番号νは、下記の数学式８のように与えられる。
【００９８】
【数８】
0005859006.tif 000047
ここで、ｃ（ｉ）は、擬似−ランダムシーケンスに該当し、上位層により提供されるシーケンスホッピングを可能に（ｅｎａｂｌｅｄ）するパラメータは、シーケンスホッピングが可能か否かを決定する。擬似−ランダムシーケンス生成器は、無線フレームの開始において
【００９９】
【化３７】
0005859006.tif 000048
で初期化することができる。
【０１００】
ＰＵＳＣＨに対する基準信号は、下記のように決定される。
【０１０１】
ＰＵＳＣＨに対する基準信号シーケンス
【０１０２】
【化３８】
0005859006.tif 000049
は、
【０１０３】
【化３９】
0005859006.tif 000050
と定義される。ｍとｎは
【０１０４】
【化４０】
0005859006.tif 000051
を満たし、かつ
【０１０５】
【化４１】
0005859006.tif 000052
を満たす。
【０１０６】
一つのスロットにおいて、巡回シフトは、
【０１０７】
【化４２】
0005859006.tif 000053
とともに
α＝２・ｎｃｓ／１２と与えられる。
【０１０８】
【化４３】
0005859006.tif 000054
は放送される値であり、
【０１０９】
【化４４】
0005859006.tif 000055
は、アップリンクスケジューリング割当により与えられ、
【０１１０】
【化４５】
0005859006.tif 000056
は、セル特定巡回シフト値である。
【０１１１】
【化４６】
0005859006.tif 000057
はスロット番号ｎＳによって変わり、
【０１１２】
【化４７】
0005859006.tif 000058
のように与えられる。
【０１１３】
ｃ（ｉ）は、擬似−ランダムシーケンスであり、ｃ（ｉ）はセル−特定値である。擬似−ランダムシーケンス生成器は、無線フレームの開始において
【０１１４】
【化４８】
0005859006.tif 000059
で初期化することができる。
【０１１５】
表３は、ＤＣＩ（Ｄｏｗｎｌｉｎｋ  Ｃｏｎｔｒｏｌ  Ｉｎｆｏｒｍａｔｉｏｎ）フォーマット０において巡回シフトフィールドとｎ（２）ＤＭＲＳを示すものである。
【０１１６】
【表３】
0005859006.tif 000060
ＰＵＳＣＨにおいてアップリンクＲＳのための物理的マッピング方法は、下記のとおりである。
【０１１７】
シーケンスは、振幅スケーリング要素（ａｍｐｌｉｔｕｄｅ  ｓｃａｌｉｎｇ  ｆａｃｔｏｒ）βＰＵＳＣＨとかけられ、ｒＰＵＳＣＨ（０）から始まるシーケンス内で対応するＰＵＳＣＨのために用いられる物理リソースブロック（Ｐｈｙｓｉｃａｌ  Ｒｅｓｏｕｒｃｅ  Ｂｌｏｃｋ：ＰＲＢ）の同一のセットにマッピングされる。標準ＣＰについてはｌ＝３、拡張ＣＰについてはｌ＝２としてサブフレーム内でリソース要素（ｋ，ｌ）にマッピングすることは、まずｋの次数が増加してから、スロット番号が増加する。
【０１１８】
要するに、長さが
【０１１９】
【化４９】
0005859006.tif 000061
以上であれば、巡回拡張と共にＺＣシーケンスが用いられ、長さが
【０１２０】
【化５０】
0005859006.tif 000062
未満であれば、コンピュータ生成シーケンスが用いられる。巡回シフトは、セル−特定巡回シフト、端末−特定巡回シフト及びホッピングパターンなどによって決定される。
【０１２１】
図１２Ａは、標準ＣＰ（ｎｏｒｍａｌ  ＣＰ）の場合にＰＵＳＣＨのためのＤＭＲＳ（ｄｅｍｏｄｕｌａｔｉｏｎ  ｒｅｆｅｒｅｎｃｅ  ｓｉｇｎａｌ）構造を示す図であり、図１２Ｂは、拡張ＣＰ（ｅｘｔｅｎｄｅｄ  ＣＰ）の場合にＰＵＳＣＨのためのＤＭＲＳ構造を示す図である。図１２Ａでは、４番目と１１番目のＳＣ−ＦＤＭＡシンボルを通じてＤＭＲＳが伝送され、図１２Ｂでは、３番目と９番目のＳＣ−ＦＤＭＡシンボルを通じてＤＭＲＳが伝送される。
【０１２２】
図１３乃至図１６は、ＰＵＣＣＨフォーマットのスロットレベル構造を示す例である。ＰＵＣＣＨは、制御情報を伝送するために下記の形式を含む。
【０１２３】
（１）フォーマット（Ｆｏｒｍａｔ）１：オン−オフキーイング（Ｏｎ−Ｏｆｆ  ｋｅｙｉｎｇ）（ＯＯＫ）変調、スケジューリング要請（Ｓｃｈｅｄｕｌｉｎｇ  Ｒｅｑｕｅｓｔ：ＳＲ）に使用
（２）フォーマット１ａとフォーマット１ｂ：ＡＣＫ／ＮＡＣＫ（Ａｃｋｎｏｗｌｅｄｇｍｅｎｔ／Ｎｅｇａｔｉｖｅ  Ａｃｋｎｏｗｌｅｄｇｍｅｎｔ）伝送に使用
１）フォーマット１ａ：１個のコードワードに対するＢＰＳＫ  ＡＣＫ／ＮＡＣＫ
２）フォーマット１ｂ：２個のコードワードに対するＱＰＳＫ  ＡＣＫ／ＮＡＣＫ
（３）フォーマット２：ＱＰＳＫ変調、ＣＱＩ伝送に使用
（４）フォーマット２ａとフォーマット２ｂ：ＣＱＩとＡＣＫ／ＮＡＣＫの同時伝送に使用
表４は、ＰＵＣＣＨフォーマットによる変調方式、及びサブフレーム当たりのビット数を表す。表５は、ＰＵＣＣＨフォーマットによるスロット当たりのＲＳの個数を表す。表６は、ＰＵＣＣＨフォーマットによるＲＳのＳＣ−ＦＤＭＡシンボル位置を表すものである。表４で、ＰＵＣＣＨフォーマット２ａと２ｂは、標準ＣＰの場合に該当する。
【０１２４】
【表４】
0005859006.tif 000063
【０１２５】
【表５】
0005859006.tif 000064
【０１２６】
【表６】
0005859006.tif 000065
図１３は、標準ＣＰの場合におけるＰＵＣＣＨフォーマット１ａ及び１ｂを示す。図１４は、拡張ＣＰの場合におけるＰＵＣＣＨフォーマット１ａ及び１ｂを示す。ＰＵＣＣＨフォーマット１ａ及び１ｂは、同じ内容の制御情報がサブフレーム内でスロット単位に反復される。各端末から、ＡＣＫ／ＮＡＣＫ信号は、ＣＧ−ＣＡＺＡＣ（Ｃｏｍｐｕｔｅｒ−Ｇｅｎｅｒａｔｅｄ  Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスの互いに異なる巡回シフト（ｃｙｃｌｉｃ  ｓｈｉｆｔ：ＣＳ）（周波数ドメインコード）と直交カバーコード（ｏｒｔｈｏｇｏｎａｌ  ｃｏｖｅｒ  ｏｒ  ｏｒｔｈｏｇｏｎａｌ  ｃｏｖｅｒ  ｃｏｄｅ：ＯＣ  ｏｒ  ＯＣＣ）（時間ドメイン拡散コード）とから構成された互いに異なるリソースを通じて伝送される。ＯＣは、例えば、ウォルシュ（Ｗａｌｓｈ）／ＤＦＴ直交コードを含む。ＣＳの個数が６であり、ＯＣの個数が３であれば、単一アンテナを基準に、総１８個の端末が同一のＰＲＢ（Ｐｈｙｓｉｃａｌ  Ｒｅｓｏｕｒｃｅ  Ｂｌｏｃｋ）内で多重化されることが可能である。直交シーケンスｗ０、ｗ１、ｗ２、ｗ３は、（ＦＦＴ変調後に）任意の時間ドメインで、または（ＦＦＴ変調前に）任意の周波数ドメインで適用されるとよい。
【０１２７】
ＳＲ及び持続的スケジューリング（ｐｅｒｓｉｓｔｅｎｔｓ  ｃｈｅｄｕｌｉｎｇ）のために、ＣＳ、ＯＣ及びＰＲＢ（Ｐｈｙｓｉｃａｌ  Ｒｅｓｏｕｒｃｅ  Ｂｌｏｃｋ）で構成されたＡＣＫ／ＮＡＣＫリソースを、ＲＲＣ（Ｒａｄｉｏ  Ｒｅｓｏｕｒｃｅ  Ｃｏｎｔｒｏｌ）を通じて端末に与えることができる。動的ＡＣＫ／ＮＡＣＫ及び非持続的スケジューリング（ｎｏｎ−ｐｅｒｓｉｓｔｅｎｔ  ｓｃｈｅｄｕｌｉｎｇ）のために、ＡＣＫ／ＮＡＣＫリソースを、ＰＤＳＣＨに対応するＰＤＣＣＨの最小（ｌｏｗｅｓｔ）のＣＣＥインデックスによって暗黙的に（ｉｍｐｌｉｃｉｔｌｙ）端末に与えることができる。
【０１２８】
図１５には、標準ＣＰの場合におけるＰＵＣＣＨフォーマット２／２ａ／２ｂを示す。図１６は、拡張ＣＰの場合におけるＰＵＣＣＨフォーマット２／２ａ／２ｂを示す。図１５及び図１６を参照すると、標準ＣＰの場合に、一つのサブフレームは、ＲＳシンボルの他、１０個のＱＰＳＫデータシンボルで構成される。それぞれのＱＰＳＫシンボルは、ＣＳにより周波数ドメインで拡散された後、該当のＳＣ−ＦＤＭＡシンボルにマッピングされる。ＳＣ−ＦＤＭＡシンボルレベルＣＳホッピングは、インター・セル干渉をランダム化するために適用することができる。ＲＳは、巡回シフトを用いてＣＤＭにより多重化することができる。例えば、可用ＣＳの個数が１２または６であるとすれば、同一のＰＲＢ内にそれぞれ１２または６個の端末を多重化することができる。要するに、ＰＵＣＣＨフォーマット１／１ａ／１ｂと２／２ａ／２ｂにおいて、複数の端末を、ＣＳ＋ＯＣ＋ＰＲＢとＣＳ＋ＰＲＢによりそれぞれ多重化することができる。
【０１２９】
ＰＵＣＣＨフォーマット１／１ａ／１ｂのための長さ４と長さ３の直交シーケンス（ＯＣ）は、下記の表７及び表８に示すとおりである。
【０１３０】
【表７】
0005859006.tif 000066
【０１３１】
【表８】
0005859006.tif 000067
ＰＵＣＣＨフォーマット１ａ／１ｂにおいて、ＲＳのための直交シーケンス（ＯＣ）は、下記の表９のとおりである。
【０１３２】
【表９】
0005859006.tif 000068
図１７は、ＰＵＣＣＨフォーマット１ａ及び１ｂに対するＡＣＫ／ＮＡＣＫチャネル化（ｃｈａｎｎｅｌｉｚａｔｉｏｎ）を説明する図である。図１７は、
【０１３３】
【化５１】
0005859006.tif 000069
の場合に該当する。
【０１３４】
図１８は、同一のＰＲＢ内で、ＰＵＣＣＨフォーマット１ａ／１ｂ及びフォーマット２／２ａ／２ｂの混合構造に対するチャネル化を示す図である。
【０１３５】
巡回シフト（Ｃｙｃｌｉｃ  Ｓｈｉｆｔ：ＣＳ）ホッピングと直交カバー（Ｏｒｔｈｏｇｏｎａｌ  Ｃｏｖｅｒ：ＯＣ）再マッピング（ｒｅｍａｐｐｉｎｇ）は、下記のように適用可能である。
【０１３６】
（１）インター・セル干渉（ｉｎｔｅｒ−ｃｅｌｌ  ｉｎｔｅｒｆｅｒｅｎｃｅ）のランダム化のためのシンボルベースのセル特定ＣＳホッピング
（２）スロットレベルＣＳ／ＯＣ再マッピング
１）インター・セル干渉ランダム化のために
２）ＡＣＫ／ＮＡＣＫチャネルとリソース（ｋ）間のマッピングのためのスロットベースの接近
一方、ＰＵＣＣＨフォーマット１ａ／１ｂのためのリソース（ｎｒ）は、下記の組み合わせを含む。
【０１３７】
（１）ＣＳ（＝シンボルレベルでＤＦＴ直交コードと同一）（ｎｃｓ）
（２）ＯＣ（スロットレベルで直交カバー）（ｎｏｃ）
（３）周波数ＲＢ（Ｒｅｓｏｕｒｃｅ  Ｂｌｏｃｋ）（ｎｒｂ）
ＣＳ、ＯＣ、ＲＢを表すインデックスをそれぞれ、ｎｃｓ、ｎｏｃ、ｎｒｂとすれば、代表インデックス（ｒｅｐｒｅｓｅｎｔａｔｉｖｅ  ｉｎｄｅｘ）ｎｒは、ｎｃｓ、ｎｏｃ、ｎｒｂを含む。ｎｒは、ｎｒ＝（ｎｃｓ、ｎｏｃ、ｎｒｂ）を満たす。
【０１３８】
ＣＱＩ、ＰＭＩ、ＲＩ、及びＣＱＩとＡＣＫ／ＮＡＣＫとの組み合わせは、ＰＵＣＣＨフォーマット２／２ａ／２ｂを通じて伝達することができる。リードマラー（Ｒｅｅｄ  Ｍｕｌｌｅｒ：ＲＭ）チャネルコーディングを適用することができる。
【０１３９】
例えば、ＬＴＥシステムでＵＬ  ＣＱＩのためのチャネルコーディングを説明すると、次のとおりである。ビットストリームａ０，ａ１，ａ２，ａ３，…ａＡ−１は、（２０，Ａ）ＲＭコードを用いてチャネルコーディングされる。表１０は、（２０，Ａ）コードのための基本シーケンスを示すものである。ａ０とａＡ−１は、ＭＳＢ（Ｍｏｓｔ  Ｓｉｇｎｉｆｉｃａｎｔ  Ｂｉｔ）とＬＳＢ（Ｌｅａｓｔ  Ｓｉｇｎｉｆｉｃａｎｔ  Ｂｉｔ）を表す。拡張ＣＰの場合に、ＣＱＩとＡＣＫ／ＮＡＣＫが同時伝送される場合を除けば、最大情報ビットは１１ビットである。ＲＭコードを用いて２０ビットにコーディングした後に、ＱＰＳＫ変調を適用することができる。ＱＰＳＫ変調の前に、コーディングされたビットをスクランブルすることができる。
【０１４０】
【表１０】
0005859006.tif 000070
チャネルコーディングビットｂ０，ｂ１，ｂ２，ｂ３，…ｂＢ−１は、数学式９により生成することができる。
【０１４１】
【数９】
0005859006.tif 000071
ここで、ｉ＝０，１，２，…，Ｂ−１を満たす。
【０１４２】
表１１は、広帯域報告（単一アンテナポート、伝送ダイバーシティ（ｔｒａｎｓｍｉｔ  ｄｉｖｅｒｓｉｔｙ）または開ループ空間多重化（ｏｐｅｎ  ｌｏｏｐ  ｓｐａｔｉａｌ  ｍｕｌｔｉｐｌｅｘｉｎｇ）ＰＤＳＣＨ）ＣＱＩフィードバックのためのＵＣＩ（Ｕｐｌｉｎｋ  Ｃｏｎｔｒｏｌ  Ｉｎｆｏｒｍａｔｉｏｎ）フィールドを表すものである。
【０１４３】
【表１１】
0005859006.tif 000072
表１２は、広帯域に対するＣＱＩとＰＭＩフィードバックのためのＵＣＩフィールドを表し、該フィールドは、閉ループ空間多重化（ｃｌｏｓｅｄ  ｌｏｏｐ  ｓｐａｔｉａｌ  ｍｕｌｔｉｐｌｅｘｉｎｇ）ＰＤＳＣＨ伝送を報告する。
【０１４４】
【表１２】
0005859006.tif 000073
表１３は、広帯域報告のためのＲＩフィードバックのためのＵＣＩフィールドを表す。
【０１４５】
【表１３】
0005859006.tif 000074
図１９は、ＰＲＢ割当を示す図である。図１９に示すように、スロットｎｓでＰＵＣＣＨ伝送のためにＰＲＢを用いることができる。
【０１４６】
マルチキャリアシステムまたはキャリアアグリゲーション（ｃａｒｒｉｅｒ  ａｇｇｒｅｇａｔｉｏｎ）システムは、広帯域支援のために目標帯域（ｂａｎｄｗｉｄｔｈ）よりも小さい帯域を持つ複数のキャリアを統合して用いるシステムのことをいう。目標帯域よりも小さい帯域を持つ複数のキャリアを統合する時に、統合されるキャリアの帯域は、既存システムとの互換（ｂａｃｋｗａｒｄ  ｃｏｍｐａｔｉｂｉｌｉｔｙ）のために、既存システムで用いる帯域幅に制限されるとよい。例えば、既存のＬＴＥシステムは、１．４、３、５、１０、１５、２０ＭＨｚの帯域幅を支援し、ＬＴＥシステムから進展したＬＴＥ−Ａ（ＬＴＥ−Ａｄｖａｎｃｅｄ）システムは、ＬＴＥで支援する帯域幅のみを用いて２０ＭＨｚよりも大きい帯域幅を支援することができる。または、既存システムで用いる帯域幅にかかわらず、新しい帯域幅を定義してキャリアアグリゲーションを支援してもよい。マルチキャリアは、キャリアアグリゲーション及び帯域幅統合と併用できる名称である。また、キャリアアグリゲーションは、隣接した（ｃｏｎｔｉｇｕｏｕｓ）キャリアアグリゲーションと隣接していない（ｎｏｎ−ｃｏｎｔｉｇｕｏｕｓ）キャリアアグリゲーションを総称する。
【０１４７】
図２０は、基地局でダウンリンクコンポーネントキャリアを管理する概念を示す図であり、図２１は、端末でアップリンクコンポーネントキャリアを管理する概念を示す図である。説明の便宜のために、以下では、図２０及び図２１において、上位層をＭＡＣと簡略化して説明する。
【０１４８】
図２２は、基地局において一つのＭＡＣがマルチキャリアを管理する概念を説明する。図２３は、端末において一つのＭＡＣがマルチキャリアを管理する概念を説明する。
【０１４９】
図２２及び２３を参照すると、一つのＭＡＣが一つ以上の周波数キャリアを管理及び運営して送受信を行う。一つのＭＡＣにより管理される周波数キャリアは、互いに隣接する必要がないため、リソース管理の側面においてより柔軟（ｆｌｅｘｉｂｌｅ）であるという利点がある。図２２及び図２３で、一つのＰＨＹは、便宜上、一つのコンポーネントキャリアを意味するとする。ここで、一つのＰＨＹは、必ずしも独立したＲＦ（Ｒａｄｉｏ  Ｆｒｅｑｕｅｎｃｙ）デバイスを意味するわけではない。一般に、一つの独立したＲＦデバイスは、一つのＰＨＹを意味するが、これに限定されず、一つのＲＦデバイスは複数のＰＨＹを含むこともできる。
【０１５０】
図２４は、基地局において複数のＭＡＣがマルチキャリアを管理する概念を説明する。図２５は、端末において複数のＭＡＣがマルチキャリアを管理する概念を説明する。図２６は、基地局において複数のＭＡＣがマルチキャリアを管理する他の概念を説明する。図２７は、端末において複数のＭＡＣがマルチキャリアを管理する他の概念を説明する。
【０１５１】
図２２及び図２３に示すような構造に限定されず、図２４乃至図２７のように、複数のキャリアを、一つのＭＡＣではなく複数のＭＡＣが制御することもできる。
【０１５２】
図２４及び図２５に示すように、それぞれのキャリアをそれぞれのＭＡＣが１：１で制御することもでき、図２６及び図２７に示すように、一部キャリアについては、それぞれのキャリアをそれぞれのＭＡＣが１：１で制御し、残り１個以上のキャリアを一つのＭＡＣが制御することもできる。
【０１５３】
上記のシステムは、１個〜Ｎ個の多数のキャリアを含むシステムであり、各キャリアは隣接して用いられることもあり、非隣接（ｎｏｎ−ｃｏｎｔｉｇｕｏｕｓ）して用いられることもある。これは、アップリンク／ダウンリンクを問わずに適用可能である。ＴＤＤシステムは、それぞれのキャリア内にダウンリンクとアップリンクの伝送を含むＮ個の多数キャリアを運営するように構成され、ＦＤＤシステムは、多数のキャリアをアップリンクとダウンリンクにそれぞれ用いるように構成される。ＦＤＤシステムの場合に、アップリンクとダウンリンクで統合されるキャリアの数及び／またはキャリアの帯域幅が、他の非対称的なキャリアアグリゲーションも支援することができる。
【０１５４】
アップリンクとダウンリンクで統合されたコンポーネントキャリアの個数が同一であれば、全てのコンポーネントキャリアを既存システムと互換可能に構成することができる。しかし、互換性を考慮しないコンポーネントキャリアが本発明から排除されるわけではない。
【０１５５】
以下では、説明の便宜のために、ＰＤＣＣＨがダウンリンクコンポーネントキャリア＃０で伝送された時に、該当のＰＤＳＣＨはダウンリンクコンポーネントキャリア＃０で伝送されるとして説明するが、交差−キャリアスケジュールリング（ｃｒｏｓｓ−ｃａｒｒｉｅｒ  ｓｃｈｅｄｕｌｉｎｇ）が適用されることで、該当のＰＤＳＣＨが他のダウンリンクコンポーネントキャリアを通じて伝送されてもよいことは明らかである。“コンポーネントキャリア”という用語は、等価の他の用語（例、セル）にしてもよい。
【０１５６】
図２８には、キャリアアグリゲーションが支援される無線通信システムにおいて、アップリンク制御情報（Ｕｐｌｉｎｋ  Ｃｏｎｔｒｏｌ  Ｉｎｆｏｒｍａｔｉｏｎ：ＵＣＩ）が伝送されるシナリオを例示する。便宜上、本例は、ＵＣＩがＡＣＫ／ＮＡＣＫ（Ａ／Ｎ）である場合とする。しかし、これは、説明の便宜のためのもので、ＵＣＩはチャネル状態情報（Ｃｈａｎｎｅｌ  Ｓｔａｔｅ  Ｉｎｆｏｒｍａｔｉｏｎ、ＣＳＩ）（例、ＣＱＩ、ＰＭＩ、ＲＩ）、スケジューリング要請情報（例、ＳＲ）のような制御情報を制限なく含むことができる。
【０１５７】
図２８には、５個のＤＬ  ＣＣが１個のＵＬ  ＣＣとリンクされた非対称キャリアアグリゲーションを例示する。例示した非対称キャリアアグリゲーションは、ＵＣＩ伝送の観点で設定したものでよい。すなわち、ＵＣＩのためのＤＬ  ＣＣ−ＵＬ  ＣＣリンケージとデータのためのＤＬ  ＣＣ−ＵＬ  ＣＣリンケージとを、異なるように設定することができる。便宜上、一つのＤＬ  ＣＣが最大２個のコードワードを伝送できるとすれば、ＵＬ  ＡＣＫ／ＮＡＣＫビットも、少なくとも２ビットが必要である。この場合、５個のＤＬ  ＣＣを通じて受信したデータに対するＡＣＫ／ＮＡＣＫを一つのＵＬ  ＣＣを通じて伝送するには、少なくとも１０ビットのＡＣＫ／ＮＡＣＫビットが必要である。ＤＬ  ＣＣ別にＤＴＸ状態も支援するためには、ＡＣＫ／ＮＡＣＫ伝送のために少なくとも１２ビット（＝５５＝３１２５＝１１．６１ビット）が必要である。既存のＰＵＣＣＨフォーマット１ａ／１ｂは２ビットまでＡＣＫ／ＮＡＣＫを送ることができるため、この構造では、増加したＡＣＫ／ＮＡＣＫ情報を伝送することができない。ＵＣＩ情報の量が増加する原因としてキャリアアグリゲーションを挙げたが、アンテナ個数の増加、ＴＤＤシステム、リレーシステムにおけるバックホールサブフレームの存在などにも起因する。ＡＣＫ／ＮＡＣＫと同様に、複数のＤＬ  ＣＣと関連した制御情報を一つのＵＬ  ＣＣを通じて伝送すべき場合にも、伝送されるべき制御情報の量が増加する。例えば、複数のＤＬ  ＣＣに対するＣＱＩ／ＰＭＩ／ＲＩを伝送しなければならない場合に、ＵＣＩペイロードが増加することがある。
【０１５８】
ＤＬプライマリＣＣは、ＵＬプライマリＣＣとリンケージされたＤＬ  ＣＣと規定できる。ここで、リンケージは、暗黙的（ｉｍｐｌｉｃｉｔ）、明示的（ｅｘｐｌｉｃｉｔ）リンケージ（ｌｉｎｋａｇｅ）の両方を包括する。ＬＴＥでは、一つのＤＬ  ＣＣと一つのＵＬ  ＣＣが固有にペアリングされている。例えば、ＬＴＥペアリングにより、ＵＬプライマリＣＣとリンケージされたＤＬ  ＣＣを、ＤＬプライマリＣＣと称することができる。これを暗黙的リンケージということができる。明示的リンケージは、ネットワークがあらかじめリンケージを構成（ｃｏｎｆｉｇｕｒａｔｉｏｎ）することを意味し、ＲＲＣなどでシグナリングできる。明示的リンケージにおいて、ＵＬプライマリＣＣとペアリングされているＤＬ  ＣＣをプライマリＤＬ  ＣＣと称することができる。ここで、ＵＬプライマリ（またはアンカー）ＣＣは、ＰＵＣＣＨが伝送されるＵＬ  ＣＣでよい。あるいは、ＵＬプライマリＣＣは、ＰＵＣＣＨあるいはＰＵＳＣＨを通じてＵＣＩが伝送されるＵＬ  ＣＣでもよい。または、ＤＬプライマリＣＣは、上位層シグナリングを通じて構成されてもよい。または、ＤＬプライマリＣＣは、端末が初期接続を行ったＤＬ  ＣＣでもよい。また、ＤＬプライマリＣＣ以外のＤＬ  ＣＣは、ＤＬセカンダリＣＣと呼ぶことができる。同様に、ＵＬプライマリＣＣ以外のＵＬ  ＣＣは、ＵＬセカンダリＣＣと呼ぶことができる。
【０１５９】
ＬＴＥ−Ａは、無線リソースを管理するためにセル（ｃｅｌｌ）の概念を用いる。セルは、ダウンリンクリソースとアップリンクリソースとの組み合わせで定義され、アップリンクリソーは必須要素ではない。そのため、セルは、ダウンリンクリソース単独、またはダウンリンクリソース及びアップリンクリソースで構成することができる。キャリアアグリゲーションが支援される場合に、ダウンリンクリソースのキャリア周波数（または、ＤＬ  ＣＣ）とアップリンクリソースのキャリア周波数（または、ＵＬ  ＣＣ）間のリンケージ（ｌｉｎｋａｇｅ）は、システム情報により指示されるとよい。プライマリ周波数（またはＰＣＣ）上で動作するセルをプライマリセル（Ｐｒｉｍａｒｙ  Ｃｅｌｌ、ＰＣｅｌｌ）と呼び、セカンダリ周波数（またはＳＣＣ）上で動作するセルをセカンダリセル（Ｓｅｃｏｎｄａｒｙ  Ｃｅｌｌ、ＳＣｅｌｌ）と呼ぶことができる。簡単に、ＤＬ  ＣＣ及びＵＬ  ＣＣはそれぞれ、ＤＬセル及びＵＬセルと呼ぶことができる。また、アンカー（あるいは、プライマリ）ＤＬ  ＣＣ及びアンカー（あるいは、プライマリ）ＵＬ  ＣＣはそれぞれ、ＤＬ  ＰＣｅｌｌ（Ｐｒｉｍａｒｙ  Ｃｅｌｌ）及びＵＬ  ＰＣｅｌｌと呼ぶことができる。ＰＣｅｌｌは、端末が初期接続確立（ｉｎｉｔｉａｌ  ｃｏｎｎｅｃｔｉｏｎ  ｅｓｔａｂｌｉｓｈｍｅｎｔ）手順を行ったり、接続再−確立手順を行うのに用いられる。ＰＣｅｌｌは、ハンドオーバー過程で指示されたセルでもよい。ＳＣｅｌｌは、ＲＲＣ接続が確立された後に構成可能であり、追加的な無線リソースを提供するのに用いることができる。ＰＣｅｌｌとＳＣｅｌｌはサービングセルと総称することもできる。したがって、ＲＲＣ＿ＣＯＮＮＥＣＴＥＤ状態にあるが、キャリアアグリゲーションが設定されていないか、または、キャリアアグリゲーションを支援しない端末の場合に、ＰＣｅｌｌのみで構成されたサービングセルが一つのみ存在する。一方、ＲＲＣ＿ＣＯＮＮＥＣＴＥＤ状態にあり、かつ、キャリアアグリゲーションが設定されている端末の場合は、一つ以上のサービングセルが存在し、全体サービングセルにはＰＣｅｌｌ及び全体ＳＣｅｌｌが含まれる。キャリアアグリゲーションのために、ネットワークは、初期保安活性化（ｉｎｉｔｉａｌ  ｓｅｃｕｒｉｔｙ  ａｃｔｉｖａｔｉｏｎ）過程が開始された後、接続確立過程で初期に構成されるＰＣｅｌｌに加えて、一つ以上のＳＣｅｌｌをキャリアアグリゲーションを支援する端末のために構成することができる。
【０１６０】
ＤＬ−ＵＬペアリングは、ＦＤＤに限るものでよい。ＴＤＤは、同じ周波数を用いるため、ＤＬ−ＵＬペアリングを別に定義しなくてもよいわけである。また、ＤＬ−ＵＬリンケージは、ＳＩＢ２のＵＬ  ＥＡＲＦＣＮ（Ｅ−ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ）情報を通じてＵＬリンケージから決定することができる。例えば、ＤＬ−ＵＬリンケージを、初期接続時にＳＩＢ２デコーディングを通じて獲得し、それ以外はＲＲＣシグナリングを通じて獲得することができる。そのため、ＳＩＢ２リンケージのみ存在し、他のＤＬ−ＵＬペアリングは明示的に定義されなくてもよい。例えば、図２８の５ＤＬ：１ＵＬの構造において、ＤＬ  ＣＣ＃０とＵＬ  ＣＣ＃０とはＳＩＢ２リンケージ関係にあり、残りのＤＬ  ＣＣは、当該端末に設定されていない他のＵＬ  ＣＣとＳＩＢ２リンケージ関係を有することができる。
【０１６１】
図２８のようなシナリオを支援するためには新しい方法が必要である。以下、キャリアアグリゲーションを支援する通信システムにおいて、ＵＣＩ（例、多重Ａ／Ｎビット）をフィードバックするためのＰＵＣＣＨフォーマットを、ＣＡ  ＰＵＣＣＨフォーマット（あるいは、ＰＵＣＣＨフォーマット３）と呼ぶ。例えば、ＰＵＣＣＨフォーマット３は、多重ＤＬサービングセルから伝送されるＰＤＳＣＨ（あるいはＰＤＣＣＨ）に相応するＡ／Ｎ情報（ＤＴＸ状態を含んでもよい。）を伝送するのに用いられる。
【０１６２】
図２９Ａ乃至図２９Ｆには、ＰＵＣＣＨフォーマット３の構造及び信号処理手順を例示する。
【０１６３】
図２９Ａには、ＰＵＣＣＨフォーマット３をＰＵＣＣＨフォーマット１（標準ＣＰ）の構造に適用する場合を例示する。図２９Ａを参照すると、チャネルコーディングブロック（ｃｈａｎｎｅｌ  ｃｏｄｉｎｇ  ｂｌｏｃｋ）は、情報ビットａ＿０、ａ＿１、…、ａ＿Ｍ−１（例、多重ＡＣＫ／ＮＡＣＫビット）をチャネルコーディングして、コーディングビット（ｃｏｄｅｄ  ｂｉｔ  ｏｒ  ｃｏｄｉｎｇ  ｂｉｔ）（またはコードワード）ｂ＿０、ｂ＿１，…，ｂ＿Ｎ−１を生成する。Ｍは、情報ビットのサイズを表し、Ｎは、コーディングビットのサイズを表す。情報ビットは、アップリンク制御情報（ＵＣＩ）、例えば、複数のＤＬ  ＣＣを通じて受信した複数のデータ（またはＰＤＳＣＨ）に対する多重ＡＣＫ／ＮＡＣＫを含む。ここで、情報ビットａ＿０、ａ＿１、…、ａ＿Ｍ−１は、情報ビットを構成するＵＣＩの種類／個数／サイズにかかわらずにジョイントコーディングされる。例えば、情報ビットが複数のＤＬ  ＣＣに対する多重ＡＣＫ／ＮＡＣＫを含む場合に、チャネルコーディングは、ＤＬ  ＣＣ別、個別ＡＣＫ／ＮＡＣＫビット別に行わずに、全体ビット情報に対して行われ、これにより単一コードワードが生成される。チャネルコーディングには、これに限定されるものではないが、単純反復（ｒｅｐｅｔｉｔｉｏｎ）、単純コーディング（ｓｉｍｐｌｅｘ  ｃｏｄｉｎｇ）、ＲＭ（Ｒｅｅｄ  Ｍｕｌｌｅｒ）コーディング、パンクチャリングされたＲＭコーディング、ＴＢＣＣ（Ｔａｉｌ−ｂｉｔｉｎｇ  ｃｏｎｖｏｌｕｔｉｏｎａｌ  ｃｏｄｉｎｇ）、ＬＤＰＣ（ｌｏｗ−ｄｅｎｓｉｔｙ  ｐａｒｉｔｙ−ｃｈｅｃｋ）あるいはターボ・コーディングを用いることができる。図示してはいないが、コーディングビットは、変調次数とリソース量を考慮してレートマッチング（ｒａｔｅ−ｍａｔｃｈｉｎｇ）されるとよい。レートマッチング機能は、チャネルコーディングブロックの一部として含まれてもよく、別の機能ブロックによって行われてもよい。例えば、チャネルコーディングブロックは、複数の制御情報に（３２，０）ＲＭコーディングを行って単一コードワードを獲得し、このコードワードに循環バッファレート−マッチングを行うことができる。
【０１６４】
変調器（ｍｏｄｕｌａｔｏｒ）は、コーディングビットｂ＿０，ｂ＿１，…，ｂ＿Ｎ−１を変調して、変調シンボルｃ＿０，ｃ＿１，…，ｃ＿Ｌ−１を生成する。Ｌは、変調シンボルのサイズを表す。変調は、伝送信号のサイズと位相を変形することによってなされる。変調方法は、例えば、ｎ−ＰＳＫ（Ｐｈａｓｅ  Ｓｈｉｆｔ  Ｋｅｙｉｎｇ）、ｎ−ＱＡＭ（Ｑｕａｄｒａｔｕｒｅ  Ａｍｐｌｉｔｕｄｅ  Ｍｏｄｕｌａｔｉｏｎ）を含む（ｎは、２以上の整数）。具体的に、変調方法には、ＢＰＳＫ（Ｂｉｎａｒｙ  ＰＳＫ）、ＱＰＳＫ（Ｑｕａｄｒａｔｕｒｅ  ＰＳＫ）、８−ＰＳＫ、ＱＡＭ、１６−ＱＡＭ、６４−ＱＡＭなどを用いることができる。
【０１６５】
分周器（ｄｉｖｉｄｅｒ）は、変調シンボルｃ＿０，ｃ＿１，…，ｃ＿Ｌ−１を各スロットに分周する。変調シンボルを各スロットに分周する順序／パターン／方式は特に制限されない。例えば、分周器は、変調シンボルを前から順にそれぞれのスロットに分周することができる（ローカル型方式）。この場合、図示のように、変調シンボルｃ＿０，ｃ＿１，…，ｃ＿Ｌ／２−１はスロット０に分周し、変調シンボルｃ＿Ｌ／２，ｃ＿Ｌ／２＋１，…，ｃ＿Ｌ−１は、スロット１に分周できる。また、変調シンボルをそれぞれのスロットへの分周時にインタリービング（またはパーミュテーション）することができる。例えば、偶数番目の変調シンボルは、スロット０に分周し、奇数番目の変調シンボルはスロット１に分周することができる。変調過程と分周過程との順序を入れ替えてもよい。
【０１６６】
ＤＦＴプリコーダ（ｐｒｅｃｏｄｅｒ）は、単一搬送波波形（ｓｉｎｇｌｅ  ｃａｒｒｉｅｒ  ｗａｖｅｆｏｒｍ）を生成するために、それぞれのスロットに分周された変調シンボルに対してＤＦＴプリコーディング（例、１２−ポイントＤＦＴ）を行う。同図で、スロット０に分周された変調シンボルｃ＿０，ｃ＿１，…，ｃ＿Ｌ／２−１は、ＤＦＴシンボルｄ＿０，ｄ＿１，…，ｄ＿Ｌ／２−１としてＤＦＴプリコーディングされ、スロット１に分周された変調シンボルｃ＿Ｌ／２，ｃ＿Ｌ／２＋１，…，ｃ＿Ｌ−１は、ＤＦＴシンボルｄ＿Ｌ／２，ｄ＿Ｌ／２＋１，…，ｄ＿Ｌ−１としてＤＦＴプリコーディングされる。ＤＦＴプリコーディングは、相応する他の線形演算（ｌｉｎｅａｒ  ｏｐｅｒａｔｉｏｎ）（例、ｗａｌｓｈ  ｐｒｅｃｏｄｉｎｇ）に代替可能である。
【０１６７】
拡散ブロック（ｓｐｒｅａｄｉｎｇ  ｂｌｏｃｋ）は、ＤＦＴされた信号を、ＳＣ−ＦＤＭＡシンボルレベルで（時間ドメイン）拡散する。ＳＣ−ＦＤＭＡシンボルレベルの時間ドメイン拡散は、拡散コード（あるいは、拡散シーケンス）を用いて行われる。拡散コードは、準直交コードと直交コードを含む。準直交コードは、これに制限されるわけではないが、ＰＮ（Ｐｓｅｕｄｏ  Ｎｏｉｓｅ）コードを含む。直交コードは、これに制限されるわけではないが、ウォルシュコード、ＤＦＴコードを含む。直交コード（Ｏｒｔｈｏｇｏｎａｌ  Ｃｏｄｅ、ＯＣ）は、直交シーケンス（ｏｒｔｈｏｇｏｎａｌ  ｓｅｑｕｅｎｃｅ）、直交カバー（Ｏｒｔｈｏｇｏｎａｌ  Ｃｏｖｅｒ、ＯＣ）、直交カバーコード（Ｏｒｔｈｏｇｏｎａｌ  Ｃｏｖｅｒ  Ｃｏｄｅ、ＯＣＣ）と混用されてもよい。本明細書は、説明の容易性のために、拡散コードの代表例として直交コードを挙げて説明するが、これは例示であり、直交コードは準直交コードに代替可能である。拡散コードサイズ（または、拡散因子（Ｓｐｒｅａｄｉｎｇ  Ｆａｃｔｏｒ：ＳＦ））の最大値は、制御情報伝送に用いられるＳＣ−ＦＤＭＡシンボルの個数によって制限される。一例として、１スロットで４個のＳＣ−ＦＤＭＡシンボルが制御情報伝送に用いられる場合に、スロット別に長さ４の（準）直交コードｗ０，ｗ１，ｗ２，ｗ３を用いることができる。ＳＦは、制御情報の拡散度を意味し、端末の多重化次数（ｍｕｌｔｉｐｌｅｘｉｎｉｇ  ｏｒｄｅｒ）またはアンテナ多重化次数と関連を持つことができる。ＳＦは、１、２、３、４、…のように、システムの要求条件によって可変でき、基地局と端末間にあらかじめ定義されたり、ＤＣＩあるいはＲＲＣシグナリングを通じて端末に知らせられたりすることができる。例えば、ＳＲＳを伝送するために、制御情報用ＳＣ−ＦＤＭＡシンボルのうちの一つをパンクチャリングする場合に、当該スロットの制御情報にはＳＦの縮小した（例、ＳＦ＝４の代わりにＳＦ＝３）拡散コードを適用することができる。
【０１６８】
上の過程を経て生成された信号は、ＰＲＢ内の副搬送波にマッピングされた後に、ＩＦＦＴを経て時間ドメイン信号に変換される。時間ドメイン信号にはＣＰが付加され、生成されたＳＣ−ＦＤＭＡシンボルはＲＦ端を通じて伝送される。
【０１６９】
５個のＤＬ  ＣＣに対するＡＣＫ／ＮＡＣＫを伝送する場合を挙げて、各過程をより具体的に説明する。それぞれのＤＬ  ＣＣが２個のＰＤＳＣＨを伝送できる場合に、これに対するＡＣＫ／ＮＡＣＫビットは、ＤＴＸ状態を含む場合に１２ビットでよい。ＱＰＳＫ変調とＳＦ＝４時間拡散を想定する場合に、（レートマッチング後の）コーディングブロックサイズは４８ビットでよい。コーディングビットは２４個のＱＰＳＫシンボルに変調され、生成されたＱＰＳＫシンボルは１２個ずつ各スロットに分周される。各スロットで１２個のＱＰＳＫシンボルは１２−ポイントＤＦＴ演算を通じて１２個のＤＦＴシンボルに変換される。各スロットにおいて１２個のＤＦＴシンボルは時間ドメインでＳＦ＝４拡散コードを用いて４個のＳＣ−ＦＤＭＡシンボルに拡散されてマッピングされる。１２個のビットが［２ビット＊１２個の副搬送波＊８個のＳＣ−ＦＤＭＡシンボル］を通じて伝送されるので、コーディングレートは０．０６２５（＝１２／１９２）である。また、ＳＦ＝４の場合に、１ＰＲＢ当たり最大４個の端末を多重化することができる。
【０１７０】
図２９Ａを参照して説明した信号処理手順は単なる例示であり、図２９ＡでＰＲＢにマッピングされた信号は、等価の様々な信号処理手順を通じて得られてもよい。図２９Ｂ乃至図２９Ｇを参照して、図２９Ａに例示したものと等価の信号処理手順を説明する。
【０１７１】
図２９Ｂは、図２９ＡにおいてＤＦＴプリコーダと拡散ブロックとの処理順序を入れ替えたものである。図２９Ａにおいて拡散ブロックの機能は、ＤＦＴプリコーダから出力されたＤＦＴシンボル列にＳＣ−ＦＤＭＡシンボルレベルで特定の定数をかけるに等しいものあるから、これらの順序を入れ替えても、ＳＣ−ＦＤＭＡシンボルにマッピングされる信号の値は同一である。したがって、ＰＵＣＣＨフォーマット３のための信号処理手順は、チャネルコーディング、変調、分周、拡散、ＤＦＴプリコーディングの順にすることができる。この場合、分周過程と拡散過程は一つの機能ブロックにより行われてもよい。一例として、変調シンボルをそれぞれのスロットに交互に分周しながら、それぞれの変調シンボルを分周と同時にＳＣ−ＦＤＭＡシンボルレベルで拡散させることができる。他の例として、変調シンボルをそれぞれのスロットに分周する時にそれぞれの変調シンボルを拡散コードのサイズに対応するように複写し、これらの変調シンボルと拡散コードの各元素を１対１にかけることができる。そのため、スロット別に生成された変調シンボル列は、ＳＣ−ＦＤＭＡシンボルレベルで複数のＳＣ−ＦＤＭＡシンボルに拡散される。その後、それぞれのＳＣ−ＦＤＭＡシンボルに対応する複素シンボル列は、ＳＣ−ＦＤＭＡシンボル単位にＤＦＴプリコーディングされる。
【０１７２】
図２９Ｃは、図２９Ａにおいて変調器と分周器との処理順序を入れ替えたものである。そのため、ＰＵＣＣＨフォーマット３のための処理手順は、サブフレームレベルでジョイントチャネルコーディングと分周が行われ、それぞれのスロットレベルで変調、ＤＦＴプリコーディング、拡散の順に行われる。
【０１７３】
図２９Ｄは、図２９Ｃにおいて、ＤＦＴプリコーダと拡散ブロックとの処理順序をさらに入れ替えたものである。前述したように、拡散ブロックの機能は、ＤＦＴプリコーダから出力されたＤＦＴシンボル列にＳＣ−ＦＤＭＡシンボルレベルで特定の定数をかけるに等しいものであるから、それらの順序を入れ替えても、ＳＣ−ＦＤＭＡシンボルにマッピングされる信号の値は同一である。したがって、ＰＵＣＣＨフォーマット３のための信号処理手順は、サブフレームレベルでジョイントチャネルコーディングと分周が行われ、それぞれのスロットレベルで変調が行われる。スロット別に生成された変調シンボル列は、ＳＣ−ＦＤＭＡシンボルレベルで複数のＳＣ−ＦＤＭＡシンボルに拡散され、それぞれのＳＣ−ＦＤＭＡシンボルに対応する変調シンボル列は、ＳＣ−ＦＤＭＡシンボル単位にＤＦＴプリコーディング順になる。この場合、変調過程と拡散過程は、一つの機能ブロックにより行われてもよい。一例として、コーディングビットを変調しながら、生成された変調シンボルを直ちにＳＣ−ＦＤＭＡシンボルレベルで拡散させることができる。他の例として、コーディングビットの変調時に生成された変調シンボルを拡散コードのサイズに対応するように複写し、これらの変調シンボルと拡散コードの各元素を１対１にかけることができる。
【０１７４】
図２９Ｅは、ＰＵＣＣＨフォーマット３をＰＵＣＣＨフォーマット２（標準ＣＰ）の構造に適用する場合を示し、図２９Ｆは、ＰＵＣＣＨフォーマット３をＰＵＣＣＨフォーマット２（拡張ＣＰ）の構造に適用する場合を示す。基本的な信号処理手順は、図２９Ａ乃至図２９Ｄを参照して説明した通りである。既存ＬＴＥのＰＵＣＣＨフォーマット２構造を再使用することから、ＰＵＣＣＨフォーマット３でＵＣＩ  ＳＣ−ＦＤＭＡシンボル及びＲＳ  ＳＣ−ＦＤＭＡシンボルの個数／位置が、図２９Ａとは異なってくる。
【０１７５】
表１４には、図示のＰＵＣＣＨフォーマット３でＲＳ  ＳＣ−ＦＤＭＡシンボルの位置を示す。標準ＣＰの場合に、スロットにおけるＳＣ−ＦＤＭＡシンボルは７個（インデックス：０〜６）であり、拡張ＣＰの場合に、スロットにおけるＳＣ−ＦＤＭＡシンボルは６個（インデックス：０〜５）であるとする。
【０１７６】
【表１４】
0005859006.tif 000075
ここで、ＲＳは、既存ＬＴＥの構造を継承することができる。例えば、ＲＳシーケンスを、基本シーケンスの巡回シフトにより定義することができる（数学式１参照）。
【０１７７】
一方、ＵＣＩデータパートは、ＳＦ＝５により多重化容量が５になる。しかし、ＲＳパートは、巡回シフト間隔である
【０１７８】
【化５２】
0005859006.tif 000076
によって多重化容量が決定される。具体的に、多重化容量は、
【０１７９】
【化５３】
0005859006.tif 000077
で与えられる。例えば、
【０１８０】
【化５４】
0005859006.tif 000078
の場合における多重化容量はそれぞれ、１２、６、４である。図２９Ｅ〜図２９Ｆにおいて、ＵＣＩデータパートの多重化容量は、ＳＦ＝５により５である一方、ＲＳパートの多重化容量は、
【０１８１】
【化５５】
0005859006.tif 000079
の場合に４となる。全体多重化容量は、両方の容量のうち小さいものに制限され、４となる。
【０１８２】
図３０には、多重化容量が増加したＰＵＣＣＨフォーマット３の構造を例示する。図３０を参照すると、ＲＳパートには、スロット内でＳＣ−ＦＤＭＡシンボルレベル拡散が適用される。そのため、ＲＳパートの多重化容量は２倍に増加する。すなわち、
【０１８３】
【化５６】
0005859006.tif 000080
の場合にもＲＳパートの多重化容量が８となり、ＵＣＩデータパートの多重化容量を損失させることがない。ＲＳのための直交コードカバーとしては、これに制限されるものではないが、［ｙ１  ｙ２］＝［１  １］、［１  −１］のウォルシュカバー、またはその線形変換形態（例、［ｊ  ｊ］［ｊ  −ｊ］、［１  ｊ］［１  −ｊ］等）を含む。ｙ１は、スロット内で１番目のＲＳ  ＳＣ−ＦＤＭＡシンボルに適用され、ｙ２は、スロット内で２番目のＲＳ  ＳＣ−ＦＤＭＡシンボルに適用される。
【０１８４】
図３１には、多重化容量が増加した他のＰＵＣＣＨフォーマット３の構造を示す。もし、スロット−レベル周波数ホッピングをしないとすれば、スロット単位に拡散またはカバリング（例、ウォルシュカバリング）をさらに行って多重化容量をまた２倍増加させることができる。スロット−レベル周波数ホッピングがある場合に、スロット単位にウォルシュカバリングを適用すると、各スロットで経験するチャネル条件の相違によって直交性が崩れることがある。ＲＳのためのスロット単位拡散コード（例、直交コードカバー）としては、これに制限されるないが、［ｘ１  ｘ２］＝［１  １］、［１  −１］のウォルシュカバー、またはその線形変換形態（例、［ｊ  ｊ］［ｊ  −ｊ］、［１  ｊ］［１  −ｊ］等）を含む。ｘ１は、１番目のスロットに適用され、ｘ２は、２番目のスロットに適用される。同図には、スロットレベルの拡散（またはカバリング）があった後に、ＳＣ−ＦＤＭＡシンボルレベルで拡散（またはカバリング）が行われることが示されているが、これらの順序は入れ替えてもよい。
【０１８５】
図３２には、短縮した（ｓｈｏｒｔｅｎｅｄ）ＰＵＣＣＨフォーマット３を例示する。ＳＲＳ（Ｓｏｕｎｄｉｎｇ  Ｒｅｆｅｒｅｎｃｅ  Ｓｉｇｎａｌ）は、サブフレームの最後のＳＣ−ＦＤＭＡシンボルを通じて伝送される。そのため、ＳＲＳ伝送が設定されたサブフレーム（ＳＲＳ伝送サブフレーム）でＰＵＣＣＨフォーマット３を伝送すべきな場合に、ＳＲＳ伝送を保護するために、当該サブフレームの最後のＳＣ−ＦＤＭＡシンボルはＰＵＣＣＨ伝送に用いられない。ＳＲＳ伝送サブフレームは、セル−特定ＳＲＳ構成情報及び端末−特定ＳＲＳ構成情報により与えられ、周期及びオフセットにより特定可能である。ＳＲＳ伝送サブフレームは、端末が自身のＳＲＳを伝送すべきサブフレーム（端末−特定ＳＲＳ伝送サブフレーム）を含む。また、ＳＲＳ伝送サブフレームは、セル内でＳＲＳ伝送に使用可能な、すなわち、他の端末がＳＲＳを伝送できるサブフレーム（セル−特定ＳＲＳ伝送サブフレーム）を含むことができる。端末−特定ＳＲＳ伝送サブフレームセットは、セル−特定ＳＲＳ伝送サブフレームセットに含まれる。
【０１８６】
図３２を参照すると、スロット０の構造は、図２９乃至図３１で例示したノーマルＰＵＣＣＨフォーマット３の構造と同一である。ただし、スロット１の最後のＳＣ−ＦＤＭＡシンボルは、ＳＲＳ伝送を保護するためにＰＵＣＣＨ伝送に用いない。具体的に、スロット０に比べて、スロット１においてＲＳシンボルの個数は２個と同一であるが、ＵＣＩシンボルの個数は５個から４個と減少している。そのため、スロット１でＵＣＩシンボルに適用される直交シーケンス（あるいはＯＣＣ）は、長さが５から４に減少する。同図には、各スロットにおいてＲＳシンボル長−２直交シーケンス（あるいはＯＣＣ）が適用されることが示されているが、図２９に例示したように、ＲＳシンボルには直交シーケンス（あるいはＯＣＣ）が適用されなくてもよい。
【０１８７】
ＰＵＣＣＨフォーマット３の信号処理過程を、数学式を用いて説明する。便宜上、長さ−５のＯＣＣを用いる場合（例、図２９Ｅ〜図３２）を取り上げる。
【０１８８】
まず、ビットブロックｂ（０），…ｂ（Ｍｂｉｔ−１）が端末−特定スクランブリングシーケンスにスクランブルされる。ビットブロックｂ（０），…ｂ（Ｍｂｉｔ−１）は、図２９Ａのコーディングビットｂ＿０，ｂ＿１，…，ｂ＿Ｎ−１に対応することができる。ビットブロックｂ（０），…ｂ（Ｍｂｉｔ−１）は、ＡＣＫ／ＮＡＣＫビット、ＣＳＩビット、ＳＲビットの少なくとも一つを含む。スクランブルされたビットブロック
【０１８９】
【化５７】
0005859006.tif 000081
は、下記の式により生成することができる。
【０１９０】
【数１０】
0005859006.tif 000082
ここで、ｃ（ｉ）は、スクランブリングシーケンスを表す。ｃ（ｉ）は、長さ−３１ゴールドシーケンスにより定義される擬似−ランダムシーケンスを含み、かつ、下記の式により生成可能である。ｍｏｄは、モジューロ（ｍｏｄｕｌｏ）演算を表す。
【０１９１】
【数１１】
0005859006.tif 000083
ここで、ｎＣ＝１６００である。１番目のｍ−シーケンスは、ｘ１（０）＝１，ｘ１（ｎ）＝０，ｎｎ＝１，２，．．．，３０と初期化する。２番目のｍ−シーケンスの初期化は
【０１９２】
【化５８】
0005859006.tif 000084
と与えられる。ｃｉｎｉｔは、毎サブフレームの開始時に
【０１９３】
【化５９】
0005859006.tif 000085
と初期化すればよい。ｎＳは、無線フレーム内でのスロット番号であり、ｎｃｅｌｌＩＤは、物理層セル識別子（ｐｈｙｓｉｃａｌ  ｌａｙｅｒ  ｃｅｌｌ  ｉｄｅｎｔｉｔｙ）であり、ｎＲＮＴＩは、無線ネットワーク臨時識別子（Ｒａｄｉｏ  ｎｅｔｗｏｒｋ  ｔｅｍｐｏｒａｒｙ  ｉｄｅｎｔｉｆｉｅｒ）である。
【０１９４】
スクランブルされたビットブロック
【０１９５】
【化６０】
0005859006.tif 000086
は変調され、複素変調シンボルブロックｄ（０），…ｄ（Ｍｓｙｍｂ−１）が生成される。ＱＰＳＫ変調時に、
【０１９６】
【化６１】
0005859006.tif 000087
である。複素変調シンボルブロックｄ（０），…ｄ（Ｍｓｙｍｂ−１）は、図２９Ａの変調シンボルｃ＿０，ｃ＿１，…，ｃ＿Ｎ−１に対応する。
【０１９７】
複素変調シンボルブロックｄ（０），…ｄ（Ｍｓｙｍｂ−１）は、直交シーケンス
【０１９８】
【化６２】
0005859006.tif 000088
を用いてブロック−方式（ｂｌｏｃｋ−ｗｉｓｅ）拡散される。下記の式により
【０１９９】
【化６３】
0005859006.tif 000089
個の複素シンボルセットが生成される。下記の式により、図２９Ｂの分周／拡散過程が行われる。それぞれの複素シンボルセットは、一つのＳＣ−ＦＤＭＡシンボルに対応し、
【０２００】
【化６４】
0005859006.tif 000090
（例、１２）個の複素変調値を有する。
【０２０１】
【数１２】
0005859006.tif 000091
ここで、
【０２０２】
【化６５】
0005859006.tif 000092
はそれぞれ、スロット０及びスロット１でＰＵＣＣＨ伝送に用いられるＳＣ−ＦＤＭＡシンボルの個数に該当する。ノーマルＰＵＣＣＨフォーマット３を用いる場合に、
【０２０３】
【化６６】
0005859006.tif 000093
である。短縮したＰＵＣＣＨフォーマット３を用いる場合に、
【０２０４】
【化６７】
0005859006.tif 000094
である。
【０２０５】
【化６８】
0005859006.tif 000095
はそれぞれスロット０とスロット１に適用される直交シーケンスを表し、下記の表１５により与えられる。
【０２０６】
【化６９】
0005859006.tif 000096
は、直交シーケンスインデックス（あるいは、直交コードインデックス）を表す。
【０２０７】
【化７０】
0005859006.tif 000097
は、床（ｆｌｏｏｒｉｎｇ）関数を表す。
【０２０８】
【化７１】
0005859006.tif 000098
と与えることができる。ｃ（ｉ）は、数学式１１により与えることができ、かつ毎無線フレームの開始に
【０２０９】
【化７２】
0005859006.tif 000099
と初期化できる。
【０２１０】
【化７３】
0005859006.tif 000100
は、アンテナポート番号に対応するインデックスである。
【０２１１】
表１５には、既存方式による直交シーケンス
【０２１２】
【化７４】
0005859006.tif 000101
を示す。
【０２１３】
【表１５】
0005859006.tif 000102
表１５で、直交シーケンス
【０２１４】
【化７５】
0005859006.tif 000103
（あるいはコード）は、下記の式により生成される。
【０２１５】
【数１３】
0005859006.tif 000104
一方、ＰＵＣＣＨフォーマット３のためのリソースは、リソースインデックス
【０２１６】
【化７６】
0005859006.tif 000105
により識別する。例えば、
【０２１７】
【化７７】
0005859006.tif 000106
と与えることができる。
【０２１８】
【化７８】
0005859006.tif 000107
は、ＳＣｅｌｌ  ＰＤＣＣＨのＴＰＣ（Ｔｒａｎｓｍｉｔ  Ｐｏｗｅｒ  Ｃｏｎｔｒｏｌ）フィールドを通じて指示されるとよい。より具体的に、各スロットのための
【０２１９】
【化７９】
0005859006.tif 000108
は、下記の式により与えることができる。
【０２２０】
【数１４】
0005859006.tif 000109
ここで、
【０２２１】
【化８０】
0005859006.tif 000110
は、スロット０のためのシーケンスインデックス値
【０２２２】
【化８１】
0005859006.tif 000111
を表し、
【０２２３】
【化８２】
0005859006.tif 000112
は、スロット１のためのシーケンスインデックス値
【０２２４】
【化８３】
0005859006.tif 000113
を表す。ノーマルＰＵＣＣＨフォーマット３の場合に、
【０２２５】
【化８４】
0005859006.tif 000114
である。短縮したＰＵＣＣＨフォーマット３の場合に、
【０２２６】
【化８５】
0005859006.tif 000115
である。
【０２２７】
上述の式によれば、短縮したＰＵＣＣＨフォーマット３の場合に
【０２２８】
【化８６】
0005859006.tif 000116
、スロット０とスロット１において同一のインデックス
【０２２９】
【化８７】
0005859006.tif 000117
の直交シーケンスが用いられる。
【０２３０】
ブロック拡散された複素シンボルセットは、下記の式によって巡回シフトされるとよい。
【０２３１】
【数１５】
0005859006.tif 000118
ここで、ｎＳは、無線フレーム内のスロット番号を表し、ｌは、スロット内でＳＣ−ＦＤＭＡシンボル番号を表す。
【０２３２】
【化８８】
0005859006.tif 000119
は、数学式１２で定義した通りである。
【０２３３】
【化８９】
0005859006.tif 000120
である。
【０２３４】
巡回シフトされた各複素シンボルセットは、下記の式によって変換プリコーディングされる。その結果、複素シンボルブロック
【０２３５】
【化９０】
0005859006.tif 000121
が生成される。
【０２３６】
【数１６】
0005859006.tif 000122
複素シンボルブロック
【０２３７】
【化９１】
0005859006.tif 000123
は、電力制御の後に物理リソースにマッピングされる。ＰＵＣＣＨは、サブフレーム内の各スロットで一つのリソースブロックを使用する。該当のリソースブロック内で、
【０２３８】
【化９２−１】
0005859006.tif 000124
は、ＲＳ伝送（表１４参照）に用いられない、アンテナポートｐ上のリソース要素（ｋ，ｌ）にマッピングされる。サブフレームの最初のスロットから始めて、ｋ、次にｌ、次にスロット番号の増加する順にマッピングがなされる。ｋは、副搬送波インデックスを表し、ｌはスロット内のＳＣ−ＦＤＭＡシンボルインデックスを表す。Ｐは、ＰＵＣＣＨ伝送に用いられるアンテナポートの個数を表す。ｐは、ＰＵＣＣＨ伝送に用いられるアンテナポート番号を表し、
ｐと
【０２３９】
【化９２−２】
0005859006.tif 000125
との関係は、下記の表の通りである。
【０２４０】
【表１６】
0005859006.tif 000126
上述したＰＵＣＣＨフォーマット３は、直交コードを用いてＳＣ−ＦＤＭＡシンボルレベルでブロック拡散された情報を伝送する。しかし、上述した方式によれば、端末が高速で移動する場合に、ブロック拡散に用いられた直交コードの直交性能が劣化することがある。そのため、制御情報の多重化性能と伝送信頼度が低下することがある。
【０２４１】
以下、通信環境が直交コードの直交性能に及ぼす影響について説明し、続いて、本発明によってＰＵＣＣＨフォーマット３の直交性能を向上させる方案について説明する。
【０２４２】
まず、
【０２４３】
【化９３】
0005859006.tif 000127
で高速環境を考慮する時、直交コードの直交性能が効率よく維持されるためには、部分直交性が維持されなければならない。部分直交性は、直交コードを構成する一部の元素間の直交性のことを意味する。例えば、部分直交性は、ＳＦ＝４コードにおいて、前部の２元素間の直交性、後部の２元素間の直交性を意味する。高速環境でＳＦ＝４コードの部分直交性は次の理由から劣化することができる。例えば、ＳＣ−ＦＤＭＡシンボル単位にマッピングされる直交コードａ＝［＋１  ＋１  ＋１  ＋１］とｂ＝［＋１  ＋１  −１  −１］を考慮する時、両コードはそれ自体としては直交である（すなわち、ａ・ｂＨ＝０）。しかし、直交コード間の直交性が完全に維持されるためには、４個のＳＣ−ＦＤＭＡシンボル間チャネルが静的（ｓｔａｔｉｃ）でなければならない。しかし、高速環境では、ＳＣ−ＦＤＭＡシンボル間チャネルが変わることがあり、そのため、直交コードの部分直交性及び全体直交性能が劣化することがある。
【０２４４】
また、
【０２４５】
【化９４】
0005859006.tif 000128
で高速環境を考慮する時、ｎＯＣの遠い直交コード間の直交性がより堅牢（ｒｏｂｕｓｔ）である。例えば、ｎＯＣ＝０とｎＯＣ＝１の直交コード間の直交性よりは、ｎＯＣ＝０とｎＯＣ＝３の直交コード間の直交性が通信環境に対してより堅牢である。ｎＯＣ間の距離は、インデックスが循環される場合を含む。例えば、ｎＯＣ＝０，４のコード間の直交性とｎＯＣ＝０，１のコード間の直交性とは、同等な堅牢性を有する。
【０２４６】
図３３を参照して、ｎＯＣの近いコード間の直交性がより脆弱な理由について説明する。ＤＦＴコードの特性上、当該コードに対する相関演算（例、ＩＤＦＴ演算）をすると、インパルス（ｉｍｐｕｌｓｅ）応答が得られる。ＳＣ−ＦＤＭＡシンボルドメインでチャネルが静的である場合に、チャネル状態はフラットフェージング（ｆｌａｔ  ｆａｄｉｎｇ）チャネルになる。この場合、ＩＤＦＴ演算後に、各コードに対するチャネル応答はデルタ−関数で示されるため、コード間直交性が保障される。しかし、時間−変化チャネルの場合（例、高速移動によりチャネルが変化する場合）に、チャネル状態は選択的チャネルとなる。この場合、ＩＤＦＴ演算後に、各コードに対するチャネル応答は、図３３に示すように、多重−経路チャネルによるインパルス応答と現れる。この場合、図示のように、ｎＯＣの近いコード間にオーバーラップが発生することがある。そのため、チャネルが変化する場合に、コード間の間隔を遠くするほど（すなわち、ｎＯＣ間の差が大きいほど）、外部環境に対してより堅牢な直交性を維持することができる。
【０２４７】
図３２を参照して説明したように、ＰＵＣＣＨフォーマット３における短縮したフォーマットの場合に、スロット０ではＳＦ＝５ＤＦＴコードを用い、スロット１ではＳＦ＝４ウォルシュコードを用いることができる。高速シナリオを勘案すると、スロット０で、距離の短いコードを多数の端末（あるいは、多数のアンテナポート）が使用し、スロット１で、部分直交性に脆弱なコードを多数の端末（あるいは、多数のアンテナポート）が使用すると、サブフレームレベルで直交性が極めて劣化する現象につながることがある。
【０２４８】
以下、直交コード間の直交性能を評価するためにコード距離を定義する。
【０２４９】
ＳＦ＝５コード（例、ＤＦＴコード）の場合に、ｎＯＣ＝ｍの直交コード（以下、コードｎＯＣ＃ｍ）とｎＯＣ＝ｎの直交コード（以下、コードｎＯＣ＃ｍ）間の距離（ｄ）は、次のように定義することができる。この定義によれば、ＳＦ＝５の場合に、コード距離が遠いほど通信環境に対して直交性がより堅牢である。
【０２５０】
【数１７】
0005859006.tif 000129
ここで、ＳＦ＝５で、ｍとｎは０〜４の整数である。｜｜は、絶対値を表す。ｆｌｏｏｒ（）は、床関数を表す。
【０２５１】
表１７は、上記式によるＳＦ＝５のＤＦＴコード間の距離を表すものである。ｎＯＣ及び直交コードのマッピングは、既存の表１５のコード構成に従う。
【０２５２】
【表１７】
0005859006.tif 000130
次に、ＳＦ＝４コード（例、ウォルシュコードあるいはアダマールコード）の場合に、コード距離は、部分直交性を考慮して定義することができる。例えば、コード距離は、４元素のうち、前の２元素に対する相互−相関の絶対値と、後の２元素に対する相互−相関の絶対値との和で定義することができる。この定義によれば、ＳＦ＝４の場合に、コード距離が小さいほど通信環境に対して直交性がより堅牢に維持される。
【０２５３】
表１８は、ＳＦ＝４ウォルシュコード間の距離を表すものである。ｎＯＣ及び直交コードのマッピングは、既存の表１５のコード構成に従う。
【０２５４】
【表１８】
0005859006.tif 000131
表１９には、既存の表１５のコード構成を用いる場合におけるコード距離を示す。この例は、短縮したＰＵＣＣＨフォーマットを仮定する。そのため、ＳＦ＝５の場合にも、ｎＯＣ＝０，１，２，３のみを用いる場合を例示した。表１９は、数学式１４によってスロット０及びスロット１で同一のコードインデックスが用いられた場合を示す。
【０２５５】
【表１９】
0005859006.tif 000132
コード距離の意味を再整理すると、ＳＦ＝５では距離値が大きいほど、ＳＦ＝４では距離値が小さいほど、直交性が堅牢である。そのため、［ｎＯＣ＃ｍ，ｎＯＣ＃ｎ］＝（１，２）の場合に、両スロットともワースト（ｗｏｒｓｔ）コード距離が発生する。例えば、端末Ａ（あるいは、アンテナポートＡ）がｎＯＣ＝１を用いてＰＵＣＣＨを伝送し、端末Ｂ（あるいは、アンテナポートＢ）がｎＯＣ＝２を用いてＰＵＣＣＨを伝送する場合を仮定する。この場合、通信環境によって両スロットのいずれにも直交性が保障されないことがある。
【０２５６】
この問題点を解消するために、本発明では、スロットレベルでコード距離をランダム化する方案を提示する。本発明は、短縮したＰＵＣＣＨフォーマット３を仮定する。そのため、特に言及しない限り、ＳＦ＝５の場合にもｎＯＣ＝０，１，２，３のみを使用する場合を挙げて説明する。ただし、これは例示であり、ＳＦ＝５の場合にｎＯＣ＝０，１，２，３，４を使用する場合を排除するものではない。
【０２５７】
具体的に、本発明は、表１５の構成を基準に、ＳＦ＝５を用いるスロット０におけるｎＯＣインデックスとＳＦ＝４を用いるスロット１におけるｎＯＣインデックスとして、互いに異なるものを用いることを提案する。例えば、スロット０で用いるコードインデックスをｎＯＣ，０とし、スロット１で用いるコードインデックスをｎＯＣ，１とする場合に、本発明によれば、ｎＯＣ，０≠ｎＯＣ，１と与えられる。これに対し、既存のＰＵＣＣＨフォーマット３構造によれば、表１５の構成を基準にｎＯＣ，０＝ｎＯＣ，１と与えられた。好ましくは、｛ｎＯＣ，０（ｍ），ｎＯＣ，１（ｍ）｝インデックスと｛ｎＯＣ，０（ｎ），ｎＯＣ，１（ｎ）｝インデックスが与えられるとすれば、スロット０（ＳＦ＝５  ＯＣ）でｎＯＣ，０（ｍ）とｎＯＣ，０（ｎ）との距離が大きく（あるいは、小さく）与えられると、スロット１（ＳＦ＝４  ＯＣ）でもｎＯＣ，１（ｍ）とｎＯＣ，１（ｎ）との距離が大きく（あるいは、小さく）与えられるように直交コードインデックスを構成することができる。これにより、短縮したＰＵＣＣＨフォーマット３を用いるときに、両スロットで拡散コードの直交性能が同時に低くなることを防止することができる。
【０２５８】
具現例によっては、本発明に係る提案は、スロット０及びスロット１で同じコードインデックスを用いるようにすることもできる（すなわち、ｎＯＣ，０＝ｎＯＣ，１）。この場合、各スロットのコードインデックスを数学式１４により与えることができる。以下、説明の便宜のために、特に言及しない限り、ｎＯＣ，０、ｎＯＣ，１をｎＯＣと呼ぶ（すなわち、ｎＯＣ＝（ｎＯＣ，０＝ｎＯＣ，１）。この例で、スロット０とスロット１で同じコードインデックスが用いられるので、本発明に係る提案を適用するためには、表１５で、コードインデックス及び直交コードのマッピングを変更する必要がある。すなわち、スロット０でコードインデックス（ｎＯＣ，０）及び直交コードのマッピングを変更したり、スロット１でコードインデックス（ｎＯＣ，１）及び直交コードのマッピングを変更することができる。
【０２５９】
具体的に、表１５及び表１９を参照して説明した、［ｎＯＣ＃ｍ，ｎＯＣ＃ｎ］＝（１，２）のために、スロット０及び／またはスロット１でコードインデックスｎＯＣと直交コードのマッピングを変更することができる。すなわち、表１５の
【０２６０】
【化９５】
0005859006.tif 000133
カラム及び／または
【０２６１】
【化９６】
0005859006.tif 000134
カラムにおいてＯＣ順序を、スロットレベルでコード距離がランダム化するこように変更することができる。
【０２６２】
これに関連して、ＳＦ＝４  ＯＣ間距離が４の場合が、［ｎＯＣ＃ｍ，ｎＯＣ＃ｎ］＝（０，３）組み合わせに対して発生する。したがって、ｎＯＣ＝１またはｎＯＣ＝２に対応するＳＦ＝５  ＯＣの一つを変更する時には、［ｎＯＣ＃ｍ，ｎＯＣ＃ｎ］＝（０，３）組み合わせのＳＦ＝５  ＯＣ間距離は変化させずに、［ｎＯＣ＃ｍ，ｎＯＣ＃ｎ］＝（１，２）のＳＦ＝５  ＯＣ間距離を最適化する方案を考慮することができる。一例として、ＳＦ＝５に対してのみ、ｎＯＣ＝０とｎＯＣ＝１に対応するＯＣを入れ替えることができる。他の例として、ＳＦ＝５に対してのみ、ｎＯＣ＝２とｎＯＣ＝３に対応するＯＣを入れ替えることができる。
【０２６３】
表２０には、表１５で
【０２６４】
【化９７】
0005859006.tif 000135
（すなわち、ＳＦ＝５）に対してのみｎＯＣ＝０とｎＯＣ＝１に対応するＯＣを入れ替えた例を示す。表２１には、表２０の構成に対する距離値を示す。表２２は、表１５で
【０２６５】
【化９８】
0005859006.tif 000136
（すなわち、ＳＦ＝５）に対してのみｎＯＣ＝２とｎＯＣ＝３に対応するＯＣを入れ替えた例を示す。表２３は、表２２の構成に対する距離値を表すものである。上述したように、この例は、短縮したＰＵＣＣＨフォーマット３を仮定するので、ＳＦ＝５の場合にもｎＯＣ＝０，１，２，３のみを用いる場合を仮定する。
【０２６６】
【表２０】
0005859006.tif 000137
【０２６７】
【表２１】
0005859006.tif 000138
【０２６８】
【表２２】
0005859006.tif 000139
【０２６９】
【表２３】
0005859006.tif 000140
表２１及び表２３を参照すると、［ｎＯＣ＃ｍ，ｎＯＣ＃ｎ］＝（０，３）及び（１，２）の場合に、ＳＦ＝４における２番目のスロットでは、ＰＵＣＣＨ間の直交性が最悪であるが、ＳＦ＝５の１番目のスロットでは、最適の直交性を維持することができる。そのため、両スロットにおいてワーストコード距離が発生することを防止でき、結果として様々な通信環境（例、高速環境）でもＰＵＣＣＨ信号間の直交性を保障することができる。
【０２７０】
他の例として、ＳＦ＝４に対してのみ、コードインデックス及びＯＣのマッピングを変更することができる。一例として、ＳＦ＝４に対してのみ、ｎＯＣ＝０とｎＯＣ＝１に対応するＯＣを入れ替えることができる。他の例として、ＳＦ＝４に対してのみ、ｎＯＣ＝２とｎＯＣ＝３に対応するＯＣを入れ替えることができる。
【０２７１】
表２４には、表１５で
【０２７２】
【化９９】
0005859006.tif 000141
（すなわち、ＳＦ＝４）に対してのみ、ｎＯＣ＝０とｎＯＣ＝１に対応するＯＣを入れ替える例を示す。表２５は、表２４の構成に対する距離値を示すものである。表２６には、表１５で
【０２７３】
【化１００】
0005859006.tif 000142
（すなわち、ＳＦ＝４）に対してのみ、ｎＯＣ＝２とｎＯＣ＝３に対応するＯＣを入れ替える例を示す。表２７は、表２６の構成に対する距離値を示すものである。
【０２７４】
【表２４】
0005859006.tif 000143
【０２７５】
【表２５】
0005859006.tif 000144
【０２７６】
【表２６】
0005859006.tif 000145
【０２７７】
【表２７】
0005859006.tif 000146
表２５及び表２７を参照すると、［ｎＯＣ＃ｍ，ｎＯＣ＃ｎ］＝（０，１）、（１，２）及び（２，３）の場合に、ＳＦ＝５である１番目のスロットでは、ＰＵＣＣＨ間の直交性が最悪であるが、ＳＦ＝４である２番目のスロットでは、最適の直交性を維持することができる。そのため、両スロットでワーストコード距離が発生することを防止でき、これにより、様々な通信環境（例、高速環境）でもＰＵＣＣＨ信号間の直交性を保障することができる。
【０２７８】
以下、本発明のさらに他の様態を説明する。一般に、ＵＬ同期は、端末から伝送されたＰＲＡＣＨブリアンブルを用いて基地局で決定する。端末がＰＲＡＣＨブリアンブルを基地局に伝送すると、基地局は、測定されたタイミング値を用いてＴＡ（Ｔｉｍｉｎｇ  Ａｄｖａｎｃｅｄ）値を端末に知らせる。端末は、該当のＴＡに従ってＵＬ伝送タイミングを調節し、その結果、すべての端末の信号を、基地局の立場では同一タイミングに受信することができる。一方、３ＧＰＰ  Ｒｅｌ−８では、ＴＡのグラニュラティ（ｇｒａｎｕｌａｒｉｔｙ）が０．５２ｕｓの倍数であるから、±０．５２ｕｓ以内で曖昧さ（ａｍｂｉｇｕｉｔｙ）が発生する。そこで、このような残留タイミング（ｒｅｓｉｄｕａｌ  ｔｉｍｉｎｇ）を考慮したＯＣ設計について説明する。
【０２７９】
図３４は、残留タイミングが直交コードの直交性に及ぼす影響を説明する図である。
【０２８０】
まず、説明のために、上記の表１５を下記の表２８のように再作成した。
【０２８１】
【表２８】
0005859006.tif 000147
この例は、ＰＵＣＣＨフォーマット３のスロット１にｎＯＣ＝２とｎＯＣ＝３に対応するＳＦ＝４  ＯＣベクトルが用いられる場合を仮定する。ｎＯＣ＝２とｎＯＣ＝３に対応するＯＣベクトルは、下記の通りである。
ｎＯＣ＝２：［＋１  −１  −１  ＋１］
ｎＯＣ＝３：［＋１  ＋１  −１  −１］
図３４を参照すると、残留タイミング効果を考慮する場合に、基地局の立場では、ｎＯＣ＝２とｎＯＣ＝３に対応するＯＣベクトルの受信時点にズレ（△）が発生することがある。具体的に、△＝０の場合に、基地局は、ｎＯＣ＝２とｎＯＣ＝３に対応するＯＣベクトルを同時に受信する。一方、△＝１の場合に、基地局はｎＯＣ＝３に対応するＯＣベクトルを、ｎＯＣ＝２のそれより１シンボル遅く受信する。そのため、基地局は、ｎＯＣ＝３に対応するＯＣベクトルの＋１シフトバージョンベクトルを見ることになる。同様に、△＝−１の場合に、基地局はｎＯＣ＝３に対応するＯＣベクトルを、１シンボル早く受信する。そのため、基地局は、ｎＯＣ＝３に対応するＯＣベクトルの−１シフトバージョンベクトルを見ることになる。図示のように、△＝０の場合は、コード間に直交性が維持されるが、△＝＋１／−１の場合は、相互−相関値が大きくなる。すなわち、残留タイミング効果などによりＯＣベクトルの受信時点に誤りが生じる場合に、直交コードの直交性能が著しく劣化することがある。
【０２８２】
そこで、この問題を解消するために、前述したＯＣ入れ替えを考慮することができる。表１５（あるいは表２８）におけるＯＣ入れ替えにおいて、ＳＦ＝５コード（例、ＤＦＴコード）を入れ替えることと、ＳＦ＝４コード（例、ウォルシュコード）を入れ替えることは互いに等価である。便宜上、以下の説明は、特別な言及がない限り、ＳＦ＝４  ＯＣ入れ替えについてのみ言及し、これは暗黙的にＳＦ＝５  ＯＣ入れ替えを本発明に含むとする。
【０２８３】
表２９には、表１５（あるいは表２８）で
【０２８４】
【化１０１】
0005859006.tif 000148
（すなわち、ＳＦ＝４）に対してのみ、ｎＯＣ＝０とｎＯＣ＝３に対応するＯＣを入れ替えた例を示す。
【０２８５】
【表２９】
0005859006.tif 000149
図３５は、表２８のコード構成を用いる場合におけるコードの直交性能を示す図である。図３４と同様、ＰＵＣＣＨフォーマット３のスロット１にｎＯＣ＝２とｎＯＣ＝３に対応するＳＦ＝４  ＯＣベクトルが用いられる場合を仮定する。ｎＯＣ＝２とｎＯＣ＝３に対応するＯＣベクトルは、下記の通りである。
ｎＯＣ＝２：［＋１  −１  −１  ＋１］
ｎＯＣ＝３：［＋１  ＋１  ＋１  ＋１］
図３５を参照すると、△＝０の場合に、コード間相互−相関値は０であり、△＝＋１／−１の場合は、相互−相関値がいずれも−１と、小さいことがわかる。そのため、残留タイミング効果などによりＯＣベクトルの受信時点に誤りが生じても、直交コードの直交性能を効率よく維持することが可能である。
【０２８６】
表３０〜表３５は、表１５（あるいは表２８）の
【０２８７】
【化１０２】
0005859006.tif 000150
（すなわち、ＳＦ＝４）に対してＯＣ入れ替えを適用する様々な変形例を示す。表３０には、ｎＯＣ＝０とｎＯＣ＝１に対応するＯＣを入れ替えた例を示す。表３１には、ｎＯＣ＝０とｎＯＣ＝２に対応するＯＣを入れ替えた例を示す。表３２には、ｎＯＣ＝０とｎＯＣ＝３に対応するＯＣを入れ替えた例を示す。表３３には、ｎＯＣ＝１とｎＯＣ＝２に対応するＯＣを入れ替えた例を示す。表３４には、ｎＯＣ＝１とｎＯＣ＝３に対応するＯＣを入れ替えた例を示す。表３５には、ｎＯＣ＝２とｎＯＣ＝３に対応するＯＣを入れ替えた例を示す。再び言及すると、これらの例は、表１５でカラム
【０２８８】
【化１０３】
0005859006.tif 000151
でのみＯＣ（例、ウォルシュコード）を入れ替える場合を例示しているが、
【０２８９】
【化１０４】
0005859006.tif 000152
カラムでＯＣ（例、ＤＦＴコード）を入れ替えることも等価である。
【０２９０】
【表３０】
0005859006.tif 000153
【０２９１】
【表３１】
0005859006.tif 000154
【０２９２】
【表３２】
0005859006.tif 000155
【０２９３】
【表３３】
0005859006.tif 000156
【０２９４】
【表３４】
0005859006.tif 000157
【０２９５】
【表３５】
0005859006.tif 000158
図３６には、本発明の実施例によってＰＵＣＣＨ信号を伝送する例を示す。
【０２９６】
図３６を参照すると、基地局と端末は複数のセルを構成する（Ｓ３６０２）。複数のセルは、一つのＰＣｅｌｌと一つ以上のＳＣｅｌｌを含む。その後、端末は、アップリンク制御情報をＰＵＣＣＨを通じて伝送する（Ｓ３６０４）。アップリンク制御情報は、ダウンリンク信号に対する受信応答情報（例、ＡＣＫ／ＮＡＣＫ／ＤＴＸ応答）、チャネル状態情報、スケジューリング要請情報のうちの少なくとも一つを含む。ここで、ダウンリンク信号は、ＰＤＣＣＨ信号、あるいはＰＤＣＣＨ信号及びそれに対応するＰＤＳＣＨ信号を含み、ＰＤＣＣＨ信号は、ＳＣｅｌｌ上で伝送されるＰＤＣＣＨ（ＳＣｅｌｌ  ＰＤＣＣＨ）信号を含む。
【０２９７】
この例で、ＰＵＣＣＨは、ＰＵＣＣＨフォーマット３を含む。ＰＵＣＣＨ信号の伝送過程は、ＰＵＣＣＨリソース割当決定過程、ＰＵＣＣＨ信号生成過程を含む。ＰＵＣＣＨリソース割当は、数学式１４を用いて行えばよい。ＰＵＣＣＨ信号生成過程は、図２９〜図３２を参照して説明した過程を含むことができる。具体的に、ＰＵＣＣＨ信号生成過程は、変調シンボルブロックをＳＣ−ＦＤＭＡシンボルレベルでブロック拡散する過程を含む。この時、ブロック拡散に用いられる直交コードが、スロットレベルでランダム化されている。例えば、表２０、２２、２４、２６、及び２９〜３５のコード構成を用いてブロック拡散を行うことができる。
【０２９８】
図３７は、本発明の一実施例に適用されうる基地局及び端末を示す図である。無線通信システムにリレーが含まれる場合に、バックホールリンクで通信は基地局とリレー間に行われ、アクセスリンクで通信はリレーと端末間に行われる。そのため、同図の基地局または端末は、状況に応じてリレーに代えてもよい。
【０２９９】
図３７を参照すると、無線通信システムは、基地局（ＢＳ）１１０及び端末（ＵＥ）１２０を含む。基地局１１０は、プロセッサ１１２、メモリー１１４及び無線周波数（Ｒａｄｉｏ  Ｆｒｅｑｕｅｎｃｙ：ＲＦ）ユニット１１６を含む。プロセッサ１１２は、本発明で提案した手順及び／または方法を具現するように構成することができる。メモリー１１４は、プロセッサ１１２に接続し、プロセッサ１１２の動作と関連した様々な情報を記憶する。ＲＦユニット１１６は、プロセッサ１１２に接続し、無線信号を送信及び／または受信する。端末１２０は、プロセッサ１２２、メモリー１２４及びＲＦユニット１２６を含む。プロセッサ１２２は、本発明で提案した手順及び／または方法を具現するように構成することができる。メモリー１２４は、プロセッサ１２２に接続し、プロセッサ１２２の動作と関連した様々な情報を記憶する。ＲＦユニット１２６は、プロセッサ１２２に接続し、無線信号を送信及び／または受信する。基地局１１０及び／または端末１１０は、単一アンテナまたは多重アンテナを有することができる。
【０３００】
以上説明してきた実施例は、本発明の構成要素及び特徴を所定形態に結合したものである。各構成要素または特徴は、別の明示的な言及がない限り、選択的なものとして考慮しなければならない。各構成要素または特徴は、他の構成要素や特徴と結合しない形態で実施することもでき、一部の構成要素及び／または特徴を結合して本発明の実施例を構成することもできる。本発明の実施例で説明される動作の順序は変更可能である。ある実施例の一部構成や特徴は、別の実施例に含まれることもでき、別の実施例の対応する構成または特徴に取って代わることもできる。特許請求の範囲において明示的な引用関係にない請求項を結合して実施例を構成したり、出願後の補正により新しい請求項として含めたりすることができることは明らかである。
【０３０１】
本文書で、本発明の実施例は、端末と基地局間のデータ送受信関係を中心に説明されている。このような送受信関係は、端末とリレー間、または基地局とリレー間の信号送受信にも同一／類似に拡張される。本文書で基地局により行われるとした特定動作は、場合によっては、その上位ノード（ｕｐｐｅｒ  ｎｏｄｅ）により行われてもよい。すなわち、基地局を含む多数のネットワークノード（ｎｅｔｗｏｒｋ  ｎｏｄｅｓ）からなるネットワークにおいて端末との通信のために行われる様々な動作は、基地局または基地局以外の別のネットワークノードにより実行できることは明らかである。基地局は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ａｃｃｅｓｓ  ｐｏｉｎｔ）などの用語に代替可能である。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替可能である。
【０３０２】
本発明による実施例は様々な手段、例えば、ハードウェア、ファームウェア（ｆｉｒｍｗａｒｅ）、ソフトウェアまたはそれらの結合などにより具現することができる。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０３０３】
ファームウェアやソフトウェアによる具現の場合、本発明の一実施例は、以上で説明された機能または動作を行うモジュール、手順、関数などの形態で具現することができる。ソフトウェアコードは、メモリユニットに記憶されて、プロセッサにより駆動されるようにすることができる。メモリユニットは、プロセッサの内部または外部に設けられ、既に公知の様々な手段によりプロセッサとデータを交換することができる。
【０３０４】
本発明は、本発明の特徴を逸脱しない範囲で別の特定の形態に具体化可能であるということは、当業者にとっては自明である。したがって、上記の詳細な説明は、いずれの面においても制限的に解釈してはならず、例示的なものとして考慮しなければならない。本発明の範囲は、添付の請求項の合理的な解釈により決定すべきであり、本発明の等価的範囲内における変更はいずれも本発明の範囲に含まれる。
例えば、本発明は以下の項目も提供する。
（項目１）
無線通信システムにおいて通信装置がＰＵＣＣＨ（Ｐｈｙｓｉｃａｌ  Ｕｐｌｉｎｋ  Ｃｏｎｔｒｏｌ  Ｃｈａｎｎｅｌ）信号を伝送する方法であって、
（ａ）第１変調シンボル列をシーケンスインデックスｎＯＣに対応する長さ−５
【化１０５】
0005859006.tif 000159
直交シーケンスを用いてブロック−方式拡散し、
（ｂ）第２変調シンボル列を上記シーケンスインデックスｎＯＣに対応する長さ−４
【化１０６】
0005859006.tif 000160
直交シーケンスを用いてブロック−方式拡散し、
（ｃ）上記（ａ）〜（ｂ）から得た複数の変調シンボル列をそれぞれ、巡回シフト及びＤＦＴ（Ｄｉｓｃｒｅｔｅ  Ｆｏｕｒｉｅｒ  Ｔｒａｎｓｆｏｒｍ）プリコーディングし、
（ｄ）上記（ｃ）から得た複素シンボルをＰＵＣＣＨ伝送のための物理リソースにマッピングすること、を含み、
上記長さ−５及び長さ−４の直交シーケンスは、下記の表により与えられる、方法。
【化１０７】
0005859006.tif 000161
（項目２）
上記ＰＵＣＣＨ信号は、ＳＲＳ（Ｓｏｕｎｄｉｎｇ  Ｒｅｆｅｒｅｎｃｅ  Ｓｉｇｎａｌ）のためのサブフレームを通じて伝送される、項目１に記載の方法。
（項目３）
上記ＰＵＣＣＨ信号は、スロット０で５個のＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルを用いて伝送され、スロット１で４個のＳＣ−ＦＤＭＡシンボルを用いて伝送される、項目２に記載の方法。
（項目４）
上記ＰＵＣＣＨ信号は、上記スロット０でインデックス０、２、３、４及び６のＳＣ−ＦＤＭＡシンボルを用いて伝送され、上記スロット１でインデックス０、２、３及び４のＳＣ−ＦＤＭＡシンボルを用いて伝送される、項目３に記載の方法。
（項目５）
上記第１変調シンボル列は、上記スロット０を通じて伝送され、上記第２変調シンボル列は、上記スロット１を通じて伝送される、項目１に記載の方法。
（項目６）
上記ＰＵＣＣＨ信号は、ＵＣＩ（Ｕｐｌｉｎｋ  Ｃｏｎｔｒｏｌ  Ｉｎｆｏｒｍａｔｉｏｎ）を含む、項目１に記載の方法。
（項目７）
上記通信装置に対して複数のサービングセルが構成された、項目１に記載の方法。
（項目８）
無線通信システムにおいてＰＵＣＣＨ（Ｐｈｙｓｉｃａｌ  Ｕｐｌｉｎｋ  Ｃｏｎｔｒｏｌ  Ｃｈａｎｎｅｌ）信号を伝送するように構成された通信装置であって、
無線周波数（Ｒａｄｉｏ  Ｆｒｅｑｕｅｎｃｙ、ＲＦ）ユニットと、
プロセッサと、を備え、
上記プロセッサは、（ａ）第１変調シンボル列をシーケンスインデックスｎＯＣに対応する長さ−５
【化１０８】
0005859006.tif 000162
直交シーケンスを用いてブロック−方式拡散し、（ｂ）第２変調シンボル列を上記シーケンスインデックスｎＯＣに対応する長さ−４
【化１０９】
0005859006.tif 000163
直交シーケンスを用いてブロック−方式拡散し、（ｃ）上記（ａ）〜（ｂ）から得た複数の変調シンボル列をそれぞれ、巡回シフト及びＤＦＴ（Ｄｉｓｃｒｅｔｅ  Ｆｏｕｒｉｅｒ  Ｔｒａｎｓｆｏｒｍ）プリコーディングし、（ｄ）上記（ｃ）から得た複素シンボルをＰＵＣＣＨ伝送のための物理リソースにマッピングするように構成され、
上記長さ−５及び長さ−４の直交シーケンスは、下記の表により与えられる、通信装置。
【化１１０】
0005859006.tif 000164
（項目９）
上記ＰＵＣＣＨ信号は、ＳＲＳ（Ｓｏｕｎｄｉｎｇ  Ｒｅｆｅｒｅｎｃｅ  Ｓｉｇｎａｌ）のためのサブフレームを通じて伝送される、項目８に記載の通信装置。
（項目１０）
上記ＰＵＣＣＨ信号は、スロット０で５個のＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルを用いて伝送され、スロット１で４個のＳＣ−ＦＤＭＡシンボルを用いて伝送される、項目９に記載の通信装置。
（項目１１）
上記ＰＵＣＣＨ信号は、上記スロット０でインデックス０、２、３、４及び６のＳＣ−ＦＤＭＡシンボルを用いて伝送され、上記スロット１でインデックス０、２、３及び４のＳＣ−ＦＤＭＡシンボルを用いて伝送される、項目１０に記載の通信装置。
（項目１２）
上記第１変調シンボル列は、上記スロット０を通じて伝送され、上記第２変調シンボル列は、上記スロット１を通じて伝送される、項目８に記載の通信装置。
（項目１３）
上記ＰＵＣＣＨ信号は、ＵＣＩ（Ｕｐｌｉｎｋ  Ｃｏｎｔｒｏｌ  Ｉｎｆｏｒｍａｔｉｏｎ）を含む、項目８に記載の通信装置。
（項目１４）
複数のサービングセルが構成された、項目８に記載の通信装置。
【産業上の利用可能性】
【０３０５】
本発明は、無線移動通信システムにおける端末機、基地局、またはその他の装備に適用可能である。特に、本発明は、アップリンク制御情報を伝送する方法及びそのための装置に適用可能である。
【図１】
0005859006.tif 000171
【図２】
0005859006.tif 000172
【図３Ａ】
0005859006.tif 000173
【図３Ｂ】
0005859006.tif 000174
【図４】
0005859006.tif 000175
【図５】
0005859006.tif 000176
【図６】
0005859006.tif 000177
【図７】
0005859006.tif 000178
【図８】
0005859006.tif 000179
【図９】
0005859006.tif 000180
【図１０】
0005859006.tif 000181
【図１１】
0005859006.tif 000182
【図１２Ａ】
0005859006.tif 000183
【図１２Ｂ】
0005859006.tif 000184
【図１３】
0005859006.tif 000185
【図１４】
0005859006.tif 000186
【図１５】
0005859006.tif 000187
【図１６】
0005859006.tif 000188
【図１７】
0005859006.tif 000189
【図１８】
0005859006.tif 000190
【図１９】
0005859006.tif 000191
【図２０】
0005859006.tif 000192
【図２１】
0005859006.tif 000193
【図２２】
0005859006.tif 000194
【図２３】
0005859006.tif 000195
【図２４】
0005859006.tif 000196
【図２５】
0005859006.tif 000197
【図２６】
0005859006.tif 000198
【図２７】
0005859006.tif 000199
【図２８】
0005859006.tif 000200
【図２９Ａ】
0005859006.tif 000201
【図２９Ｂ】
0005859006.tif 000202
【図２９Ｃ】
0005859006.tif 000203
【図２９Ｄ】
0005859006.tif 000204
【図２９Ｅ】
0005859006.tif 000205
【図２９Ｆ】
0005859006.tif 000206
【図３０】
0005859006.tif 000207
【図３１】
0005859006.tif 000208
【図３２】
0005859006.tif 000209
【図３３】
0005859006.tif 000210
【図３４】
0005859006.tif 000211
【図３５】
0005859006.tif 000212
【図３６】
0005859006.tif 000213
【図３７】
0005859006.tif 000214